(57)【要約】  本開示の実施形態は、複数の装置間においてメンバー利得を同期させるための方法、装置、サーバおよびシステムを開示している。当該方法は、現行の装置識別子として装置の識別子を取得し、上記装置にログオンしているメンバーアカウントを取得する工程と、上記現行の装置識別子および上記メンバーアカウントに関する同期要求を、サーバに送信する工程と、上記サーバによって返信された同期結果を受信する工程と、を含んでいる。そして、当該同期結果は、同期されるべき装置識別子に関するメンバー利得および対応する上記メンバーアカウントのメンバー期間を、クエリを行うことを通じて上記サーバによって取得された、上記現行の装置識別子に関するメンバー利得および対応する上記メンバーアカウントのメンバー期間と、同期させた結果である。また、同期されるべき上記装置識別子は、上記現行の装置識別子とは異なる。本開示の実施形態によれば、異なる装置に関する上記メンバー利得および上記対応する同じアカウントの期間は、上記サーバを通じて検索され、その後、同期される。その結果、複数の装置間において、同じアカウントの上記メンバー利得を共有する機能が実現される。
2017539103.tif 000002
【特許請求の範囲】
【請求項１】
複数の装置間においてメンバー利得を同期させるための方法であって、
現行の装置識別子として装置の識別子を取得し、上記装置にログオンしているメンバーアカウントを取得する工程と、
上記現行の装置識別子および上記メンバーアカウントに関する同期要求を、サーバに送信する工程と、
上記サーバによって返信された同期結果を受信する工程と、を含んでおり、
上記同期結果は、同期されるべき装置識別子に関するメンバー利得および対応する上記メンバーアカウントのメンバー期間を、クエリを行うことを通じて上記サーバによって取得された、上記現行の装置識別子に関するメンバー利得および対応する上記メンバーアカウントのメンバー期間と、同期させた結果であり、
同期されるべき上記装置識別子は、上記現行の装置識別子とは異なることを特徴とする複数の装置間においてメンバー利得を同期させるための方法。
【請求項２】
上記現行の装置識別子および上記メンバーアカウントに関する上記同期要求を、上記サーバに送信する工程は、
上記現行の装置識別子および上記メンバーアカウントを含んでいるコレクションクエリ要求を、上記サーバに送信する工程と、
上記サーバによって返信された、少なくとも１つのコレクションクエリ結果を取得する工程と、
上記コレクションクエリ結果を表示し、かつ、上記コレクションクエリ結果についての選択操作を受けて、選択された装置識別子を含んでいる同期要求を上記サーバに送信する工程と、を特に含んでおり、
上記コレクションクエリ結果は、クエリを行うことを通じて上記サーバによって取得された、コレクション可能な装置識別子に関するメンバー利得および対応する上記メンバーアカウントのメンバー期間であり、
上記コレクション可能な装置識別子は、上記現行の装置識別子とは異なり、
それぞれのコレクションクエリ結果は、単一のコレクション可能な装置識別子と対応しており、
選択された上記装置識別子は、上記選択操作によって選択された上記コレクションクエリ結果に対応する、上記コレクション可能な装置識別子であり、
上記サーバは、受信された上記同期要求に含まれている選択された上記装置識別子を、同期されるべき上記装置識別子として用いることを特徴とする請求項１に記載の複数の装置間においてメンバー利得を同期させるための方法。
【請求項３】
コンピュータコードを含んだコンピュータプログラムであって、
コンピュータ上で動作する場合に、請求項１または２に記載の、複数の装置間においてメンバー利得を同期させるための方法の全てのステップを実行することを特徴とするコンピュータプログラム。
【請求項４】
コンピュータ読み取り可能な媒体に格納されていることを特徴とする請求項３に記載のコンピュータプログラム。
【請求項５】
複数の装置間においてメンバー利得を同期させるための方法であって、
現行の装置の識別子である現行の装置識別子と上記現行の装置に記録されているメンバーアカウントとに関する同期要求を、装置から受信する工程と、
同期されるべき装置識別子に関するメンバー利得および対応する上記メンバーアカウントのメンバー期間を、クエリを行うことを通じて取得された、上記現行の装置識別子に関するメンバー利得および対応する上記メンバーアカウントのメンバー期間と同期させた結果を、上記同期結果として用いる工程と、
上記同期結果を上記装置に返信する工程と、を含んでおり、
同期されるべき上記装置識別子は、上記現行の装置識別子とは異なることを特徴とする複数の装置間においてメンバー利得を同期させるための方法。
【請求項６】
上記現行の装置の上記識別子である上記現行の装置識別子と上記現行の装置に記録されている上記メンバーアカウントとに関する上記同期要求を、上記現行の装置から受信する工程は、
上記現行の装置の識別子である上記現行の装置識別子と上記現行の装置に記録されている上記メンバーアカウントとを含んでいるコレクションクエリ要求を受信する工程と、
クエリを行うことを通じて、少なくとも１つのコレクションクエリ結果を取得する工程と、
少なくとも１つのコレクションクエリ結果を、上記装置に返信する工程と、
コレクションクエリ結果についての選択操作を受けて上記装置により送信された、選択された装置識別子を含んでいる同期要求を受信し、受信された上記同期要求に含まれている選択された上記装置識別子を、同期されるべき上記装置識別子として用いる工程と、を含んでおり、
それぞれのコレクションクエリ結果は、コレクション可能な装置識別子に関するメンバー利得および対応する上記メンバーアカウントのメンバー期間であり、
上記コレクション可能な装置識別子は、上記現行の装置識別子とは異なり、
それぞれのコレクションクエリ結果は、単一のコレクション可能な装置識別子に対応しており、
上記コレクションクエリ結果は、上記装置において表示され、
選択された上記装置識別子は、上記選択操作によって選択された上記コレクションクエリ結果に対応する上記コレクション可能な装置識別子であることを特徴とする請求項５に記載の複数の装置間においてメンバー利得を同期させるための方法。
【請求項７】
同期されるべき上記装置識別子に関する上記メンバー利得および上記対応する上記メンバーアカウントのメンバー期間を、クエリを行うことを通じて取得された上記現行の装置識別子に関する上記メンバー利得および上記対応する上記メンバーアカウントのメンバー期間と同期させる工程は、
同期されるべき上記装置識別子に関する上記メンバー利得および上記対応する上記メンバーアカウントのメンバー期間を、同期されるべきメンバー利得および対応する同期されるべきメンバー期間として用い、かつ、
上記現行の装置識別子に関する上記メンバー利得および上記対応する上記メンバーアカウントのメンバー期間を、現行のメンバー利得および対応する現行のメンバー期間として用いる工程と、
上記現行のメンバー利得と同一である上記同期されるべきメンバー利得に対応する同期されるべき上記メンバー期間を、同期されたメンバー期間として、対応する現行のメンバー期間に追加し、かつ、
上記対応する現行のメンバー期間を、同期された上記メンバー期間として更新する工程と、を含んでいることを特徴とする請求項５または６に記載の複数の装置間においてメンバー利得を同期させるための方法。
【請求項８】
コンピュータコードを含んだコンピュータプログラムであって、
コンピュータ上で動作する場合に、請求項５から７のいずれか１項に記載の、複数の装置間においてメンバー利得を同期させるための方法の全てのステップを実行することを特徴とするコンピュータプログラム。
【請求項９】
コンピュータ読み取り可能な媒体に格納されていることを特徴とする請求項８に記載のコンピュータプログラム。
【請求項１０】
複数の装置間においてメンバー利得を同期させるための装置であって、
現行の装置識別子として装置の識別子を取得し、かつ、上記装置にログオンされているメンバーアカウントを取得する現行装置取得モジュールと、
上記現行の装置識別子および上記メンバーアカウントに関する同期要求を、サーバに送信する同期要求送信モジュールと、
上記サーバにより返信される同期結果を受信する同期結果受信モジュールと、を備えており、
上記同期結果は、同期されるべき装置識別子に関するメンバー利得および対応する上記メンバーアカウントのメンバー期間を、クエリを行うことを通じて上記サーバによって取得された、上記現行の装置識別子に関するメンバー利得および対応する上記メンバーアカウントのメンバー期間と、同期させた結果であり、
同期されるべき上記装置識別子は、上記現行の装置識別子とは異なることを特徴とする複数の装置間においてメンバー利得を同期させるための装置。
【請求項１１】
上記同期要求送信モジュールは、
上記現行の装置識別子および上記メンバーアカウントを含んでいるコレクションクエリ要求を、上記サーバに送信するコレクションクエリ要求送信サブモジュールと、
上記サーバによって返信される少なくとも１つのコレクションクエリ結果を取得するコレクションクエリ結果受信サブモジュールと、
上記コレクションクエリ結果を表示し、かつ、上記コレクションクエリ結果についての選択操作を受けて、選択された受け入れられたものを含んでいる同期要求を上記サーバに送信する表示サブモジュールと、を備えており、
上記コレクションクエリ結果は、クエリを行うことを通じて上記サーバによって取得された、コレクション可能な装置識別子に関するメンバー利得および対応する上記メンバーアカウントのメンバー期間であり、
上記コレクション可能な装置識別子は、上記現行の装置識別子とは異なり、
それぞれのコレクションクエリ結果は、単一のコレクション可能な装置識別子に対応し、
選択された上記装置識別子は、上記選択操作によって選択された上記コレクションクエリ結果に対応する上記コレクション可能な装置識別子であり、
上記サーバは、受信された上記同期要求に含まれている選択された上記装置識別子を、同期されるべき上記装置識別子として用いることを特徴とする請求項１０に記載の複数の装置間においてメンバー利得を同期させるための装置。
【請求項１２】
複数の装置間においてメンバー利得を同期させるための装置であって、
１つ以上のプロセッサと、
メモリと、
１つ以上のプログラムと、を含んでおり、
１つ以上の上記プログラムは、上記メモリに記憶されており、かつ、１つ以上の上記プロセッサによって実行され、
１つ以上の上記プログラムは、
現行の装置識別子として装置の識別子を取得し、かつ、上記装置にログオンされているメンバーアカウントを取得する命令と、
上記現行の装置識別子および上記メンバーアカウントに関する同期要求を、上記サーバに送信する同期要求送信モジュールと、
上記サーバによって返信される同期結果を受信する同期結果受信モジュールと、を含んでおり、
上記同期結果は、同期されるべき装置識別子に関するメンバー利得および対応する上記メンバーアカウントのメンバー期間を、クエリを行うことを通じて上記サーバによって取得された、上記現行の装置識別子に関するメンバー利得および対応する上記メンバーアカウントのメンバー期間と、同期させた結果であり、
同期されるべき上記装置識別子は、上記現行の装置識別子とは異なることを特徴とする複数の装置間においてメンバー利得を同期させるための装置。
【請求項１３】
上記現行の装置識別子および上記メンバーアカウントに関する上記同期要求を、上記サーバに送信することは、
上記現行の装置識別子および上記メンバーアカウントを含んでいるコレクションクエリ要求を、上記サーバに送信することと、
上記サーバによって返信された少なくとも１つのコレクションクエリ結果を取得することと、
上記コレクションクエリ結果を表示し、かつ、上記コレクションクエリ結果についての選択操作を受けて、選択された装置識別子を含んでいる同期要求を上記サーバに送信することと、を含んでおり、
上記コレクションクエリ結果は、クエリを行うこと通じて上記サーバによって取得された、コレクション可能な装置識別子に関するメンバー利得および対応する上記メンバーアカウントのメンバー期間であり、
上記コレクション可能な装置識別子は、上記現行の装置識別子とは異なり、
それぞれのコレクションクエリ結果は、単一のコレクション可能な装置識別子に対応し、
選択された上記装置識別子は、上記選択操作によって選択された上記コレクションクエリ結果に対応する上記コレクション可能な装置識別子であり、
上記サーバは、受信された上記同期要求に含まれている選択された上記装置識別子を、同期されるべき上記装置識別子として用いることを特徴とする請求項１２に記載の複数の装置間においてメンバー利得を同期させるための装置。
【請求項１４】
複数の装置間においてメンバー利得を同期させるためのサーバであって、
現行の装置の識別子である現行の装置識別子と上記現行の装置に記録されているメンバーアカウントとに関する同期要求を、装置から受信する同期要求受信モジュールと、
同期されるべき装置識別子に関するメンバー利得および対応する上記メンバーアカウントのメンバー期間を、クエリを行うことを通じて取得された、上記現行の装置識別子に関するメンバー利得および対応する上記メンバーアカウントのメンバー期間と同期させた結果を、上記同期結果として用いる同期結果取得モジュールと、
上記同期結果を上記装置に返信する同期結果送信モジュールと、を備えており、
同期されるべき上記装置識別子は、上記現行の装置識別子とは異なることを特徴とする複数の装置間においてメンバー利得を同期させるためのサーバ。
【請求項１５】
上記同期要求受信モジュールは、
上記現行の装置の上記識別子である上記現行の装置識別子と上記現行の装置に記録されている上記メンバーアカウントとを含んでいるコレクションクエリ要求を受信するコレクションクエリ要求受信サブモジュールと、
クエリを行うことを通じて、少なくとも１つのコレクションクエリ結果を取得するコレクションクエリ結果サブモジュールと、
少なくとも１つのコレクションクエリ結果を、上記装置に返信するコレクションクエリ結果送信サブモジュールと、
上記コレクションクエリ結果についての選択操作を受けて上記装置によって送信される、選択された装置識別子を含んでいる同期要求を受信し、受信された上記同期要求に含まれている選択された上記装置識別子を、同期されるべき上記装置識別子として用いる選択結果受信サブモジュールと、を備えており、
それぞれのコレクションクエリ結果は、コレクション可能な装置識別子に関するメンバー利得および対応する上記メンバーアカウントのメンバー期間であり、
上記コレクション可能な装置識別子は、上記現行の装置識別子とは異なり、
それぞれのコレクションクエリ結果は、単一のコレクション可能な装置識別子に対応し、
上記コレクションクエリ結果は、上記装置において表示され、
選択された上記装置識別子は、上記選択操作によって選択されたコレクションクエリ結果に対応する上記コレクション可能な装置識別子であることを特徴とする請求項１４に記載の複数の装置間においてメンバー利得を同期させるためのサーバ。
【請求項１６】
同期されるべき上記装置識別子に関する上記メンバー利得および上記対応する上記メンバーアカウントのメンバー期間を、クエリを行うことを通して取得された、上記現行の装置識別子に関する上記メンバー利得および上記対応する上記メンバーアカウントのメンバー期間と同期させることは、
同期されるべき上記装置識別子に関する上記メンバー利得および上記対応する上記メンバーアカウントのメンバー期間を、同期されるべきメンバー利得および対応する同期されるべきメンバー期間として用い、かつ、
上記現行の装置識別子に関する上記メンバー利得および上記対応する上記メンバーアカウントのメンバー期間を、現行のメンバー利得および対応する現行のメンバー期間として用いることと、
上記現行のメンバー利得と同一である上記同期されるべきメンバー利得に対応する同期されるべき上記メンバー期間を、同期されたメンバー期間として、上記対応する現行のメンバー期間に追加し、かつ、
上記対応する現行のメンバー期間を、同期された上記メンバー期間として更新することと、を含んでいることを特徴とする請求項１４または１５に記載の複数の装置間においてメンバー利得を同期させるためのサーバ。
【請求項１７】
複数の装置間においてメンバー利得を同期させるためのサーバであって、
１つ以上のプロセッサと、
メモリと、
１つ以上のプログラムと、を含んでおり、
１つ以上の上記プログラムは、上記メモリに記憶されており、かつ、１つ以上の上記プロセッサによって実行され、
１つ以上の上記プログラムは、
現行の装置の識別子である現行の装置識別子と上記現行の装置に記録されているメンバーアカウントとに関する同期要求を、装置から受信し、
同期されるべき装置識別子に関するメンバー利得および対応する上記メンバーアカウントのメンバー期間を、クエリを行うことを通じて取得される上記現行の装置識別子に関するメンバー利得および対応する上記メンバーアカウントのメンバー期間と同期させた結果を、上記同期結果として用い、
上記同期結果を上記装置に返信する命令を含んでおり、
同期されるべき上記装置識別子は、上記現行の装置識別子とは異なることを特徴とする複数の装置間においてメンバー利得を同期させるためのサーバ。
【請求項１８】
上記現行の装置の上記識別子である上記現行の装置識別子と上記現行の装置に記録されている上記メンバーアカウントとに関する上記同期要求を、上記装置から受信することは、
上記現行の装置の識別子である上記現行の装置識別子と上記現行の装置に記録されている上記メンバーアカウントとを含んでいるコレクションクエリ要求を受信することと、
クエリを行うことを通じて、少なくとも１つのコレクションクエリ結果を取得することと、
少なくとも１つのコレクションクエリ結果を、上記装置に返信することと、
上記コレクションクエリ結果についての選択操作を受けて上記装置によって送信された、選択された装置識別子を含んでいる同期要求を受信し、受信された上記同期要求に含まれている選択された上記装置識別子を、同期されるべき上記装置識別子として用いることと、を含んでおり、
それぞれのコレクションクエリ結果は、コレクション可能な装置識別子に関するメンバー利得および対応する上記メンバーアカウントのメンバー期間であり、
上記コレクション可能な装置識別子は、上記現行の装置識別子とは異なり、
それぞれのコレクションクエリ結果は、単一のコレクション可能な装置識別子に対応し、
上記コレクションクエリ結果は、上記装置において表示され、
選択された上記装置識別子は、上記選択操作によって選択された上記コレクションクエリ結果に対応する上記コレクション可能な装置識別子であることを特徴とする請求項１７に記載の複数の装置間においてメンバー利得を同期させるためのサーバ。
【請求項１９】
同期されるべき上記装置識別子に関する上記メンバー利得および上記対応する上記メンバーアカウントのメンバー期間を、クエリを行うことを通じて取得された、上記現行の装置識別子に関する上記メンバー利得および上記対応する上記メンバーアカウントのメンバー期間と同期させることは、
同期されるべき上記装置識別子に関する上記メンバー利得および上記対応する上記メンバーアカウントのメンバー期間を、同期されるべきメンバー利得および対応する同期されるべきメンバー期間として用い、かつ、
上記現行の装置識別子に関する上記メンバー利得および上記対応する上記メンバーアカウントのメンバー期間を、現行のメンバー利得および対応する現行のメンバー期間として用いることと、
上記現行のメンバー利得と同一である上記同期されるべきメンバー利得に対応する同期されるべき上記メンバー期間を、同期されたメンバー期間として、上記対応する現行のメンバー期間に追加し、かつ、
上記対応する現行のメンバー期間を、同期された上記メンバー期間として更新することと、を含んでいることを特徴とする請求項１７または１８に記載の複数の装置間においてメンバー利得を同期させるためのサーバ。
【請求項２０】
複数の装置間においてメンバー利得を同期させるためのシステムであって、
請求項１０または１１に記載の装置と、
請求項１４から１６のいずれか１項に記載のサーバと、を備えていることを特徴とするシステム。
【発明の詳細な説明】
【発明の詳細な説明】
【０００１】
＜技術分野＞
本開示は、携帯電話関連の技術の分野に関する。より具体的には、複数の装置間においてメンバー利得を同期させるための方法、装置、サーバおよびシステムに関する。
【０００２】
＜背景技術＞
スマートフォンは、パーソナルコンピュータに類似している携帯電話の種類に関係し、独自のオペレーティングシステムおよび独自の作動空間を有している。当該スマートフォンによって、ユーザは、第三者サービス・プロバイダによって提供されているソフトウェア、ゲームおよびナビゲーションなどのプログラムを単独でインストールすることができる。また、スマートフォンは、移動体通信ネットワークを介してワイヤレスネットワークにアクセスすることができる。
【０００３】
スマートＴＶは、「高解像度」、「ネットワーク化」および「インテリジェント化」の趨勢に追随することによって現れた、スマートマルチメディア端末である。当該スマートＴＶは、インターネット、ビデオ装置、コンピュータなどの複数のチャネルから番組コンテンツを取得する機能、および、簡潔かつ使いやすい一体型操作インターフェースを介して、消費者によって最も必要とされているコンテンツを画面に分かりやすく表示する機能を有している。
【０００４】
上記スマートＴＶの登場は、大型画面による視覚体験を大きく進歩させており、上記スマートＴＶは、家庭用娯楽機器の中心となった。大型画面を介しての視聴中に、同時に番組に関連する情報を検索したり番組の交流に参加したりするために、より多くのユーザが、携帯電話およびタブレットなどの「第２の画面」を選択している。
【０００５】
メンバーアカウントは、ユーザを特定するために使用されている。スマートフォンまたはスマートＴＶを介して上記メンバーアカウントに関するメンバー利得を取得するために、ユーザは、上記メンバーアカウントを用いることができる。通常、上記メンバー利得は、特定の使用期間（すなわち、メンバー期間）を有する。
【０００６】
しかしながら、従来技術においては、それぞれのメンバー利得は１つの装置にしか関連付けられていない（すなわち、上記メンバー利得は、複数の装置間において共有できない）ことが、本発明者によって、本開示を提供する過程の間に見出された。
【０００７】
＜概要＞
この点を踏まえると、複数の装置間において同じメンバーアカウントのメンバー利得を共有できないという上記従来技術の技術上の問題を解決するためには、複数の装置間においてメンバー利得を同期させるための方法、装置、サーバおよびシステムを提供することが必要である。
【０００８】
本開示の一実施形態は、複数の装置間においてメンバー利得を同期させるための方法を提供する。当該方法は、
現行の装置識別子として装置の識別子を取得し、上記装置にログオンしているメンバーアカウントを取得する工程と、
上記現行の装置識別子および上記メンバーアカウントに関する同期要求を、サーバに送信する工程と、
上記サーバによって返信された同期結果を受信する工程と、を含んでおり、
上記同期結果は、同期されるべき装置識別子に関するメンバー利得および対応する上記メンバーアカウントのメンバー期間を、クエリを行うことを通じて上記サーバによって取得された、上記現行の装置識別子に関するメンバー利得および対応する上記メンバーアカウントのメンバー期間と、同期させた結果であり、
同期されるべき上記装置識別子は、上記現行の装置識別子とは異なる。
【０００９】
さらに、
上記現行の装置識別子および上記メンバーアカウントに関する上記同期要求を、上記サーバに送信する工程は、
上記現行の装置識別子および上記メンバーアカウントを含んでいるコレクションクエリ要求を、上記サーバに送信する工程と、
上記サーバによって返信された、少なくとも１つのコレクションクエリ結果を取得する工程と、
上記コレクションクエリ結果を表示し、かつ、上記コレクションクエリ結果についての選択操作を受けて、選択された装置識別子を含んでいる同期要求を上記サーバに送信する工程と、を特に含んでおり、
上記コレクションクエリ結果は、クエリを行うことを通じて上記サーバによって取得された、コレクション可能な装置識別子に関するメンバー利得および対応する上記メンバーアカウントのメンバー期間であり、
上記コレクション可能な装置識別子は、上記現行の装置識別子とは異なり、
それぞれのコレクションクエリ結果は、単一のコレクション可能な装置識別子と対応しており、
選択された上記装置識別子は、上記選択操作によって選択された上記コレクションクエリ結果に対応する、上記コレクション可能な装置識別子であり、
上記サーバは、受信された上記同期要求に含まれている選択された上記装置識別子を、同期されるべき上記装置識別子として用いる。
【００１０】
本開示の一実施形態は、コンピュータプログラムを提供する。当該コンピュータプログラムは、
コンピュータコードを含んでおり、
コンピュータ上で動作する場合に、上述の複数の装置間においてメンバー利得を同期させるための方法の全てのステップを実行する。
【００１１】
さらに、上記コンピュータプログラムは、コンピュータ読み取り可能な媒体に格納されている。
【００１２】
本開示の一実施形態は、複数の装置間においてメンバー利得を同期させるための方法を提供する。当該方法は、
現行の装置の識別子である現行の装置識別子と上記現行の装置に記録されている上記メンバーアカウントとに関する同期要求を、装置から受信する工程と、
同期されるべき装置識別子に関するメンバー利得および対応する上記メンバーアカウントのメンバー期間を、クエリを行うことを通じて取得された、上記現行の装置識別子に関するメンバー利得および対応する上記メンバーアカウントのメンバー期間と同期させた結果を、上記同期結果として用いる工程と、
上記同期結果を上記装置に返信する工程と、を含んでおり、
同期されるべき上記装置識別子は、上記現行の装置識別子とは異なる。
【００１３】
さらに、
上記現行の装置の上記識別子である上記現行の装置識別子と上記現行の装置に記録されている上記メンバーアカウントとに関する上記同期要求を、上記現行の装置から受信する工程は、
上記現行の装置の識別子である上記現行の装置識別子と上記現行の装置に記録されている上記メンバーアカウントとを含んでいるコレクションクエリ要求を受信する工程と、
クエリを行うことを通じて、少なくとも１つのコレクションクエリ結果を取得する工程と、
少なくとも１つのコレクションクエリ結果を、上記装置に返信する工程と、
コレクションクエリ結果についての選択操作を受けて上記装置により送信された、選択された装置識別子を含んでいる同期要求を受信し、受信された上記同期要求に含まれている選択された上記装置識別子を、同期されるべき上記装置識別子として用いる工程と、を特に含んでおり、
それぞれのコレクションクエリ結果は、コレクション可能な装置識別子に関するメンバー利得および対応する上記メンバーアカウントのメンバー期間であり、
上記コレクション可能な装置識別子は、上記現行の装置識別子とは異なり、
それぞれのコレクションクエリ結果は、単一のコレクション可能な装置識別子に対応しており、
上記コレクションクエリ結果は、上記装置において表示され、
選択された上記装置識別子は、上記選択操作によって選択された上記コレクションクエリ結果に対応する上記コレクション可能な装置識別子である。
【００１４】
さらに、
同期されるべき上記装置識別子に関する上記メンバー利得および上記対応する上記メンバーアカウントのメンバー期間を、クエリを行うことを通じて取得された上記現行の装置識別子に関する上記メンバー利得および上記対応する上記メンバーアカウントのメンバー期間と同期させる工程は、
同期されるべき上記装置識別子に関する上記メンバー利得および上記対応する上記メンバーアカウントのメンバー期間を、同期されるべきメンバー利得および対応する同期されるべきメンバー期間として用い、かつ、
上記現行の装置識別子に関する上記メンバー利得および上記対応する上記メンバーアカウントのメンバー期間を、現行のメンバー利得および対応する現行のメンバー期間として用いる工程と、
上記現行のメンバー利得と同一である上記同期されるべきメンバー利得に対応する同期されるべき上記メンバー期間を、同期されたメンバー期間として、対応する現行のメンバー期間に追加し、かつ、
上記対応する現行のメンバー期間を、同期された上記メンバー期間として更新する工程と、を特に含んでいる。
【００１５】
本開示の別の実施形態は、コンピュータプログラムを提供する。当該コンピュータプログラムは、
コンピュータコードを含んでおり、
コンピュータ上で動作する場合に、上述の複数の装置間においてメンバー利得を同期させるための方法の全てのステップを実行する。
【００１６】
さらに、上記コンピュータプログラムは、コンピュータ読み取り可能な媒体に格納されている。
【００１７】
本開示の別の実施形態は、複数の装置間においてメンバー利得を同期させるための装置を提供する。当該装置は、
現行の装置識別子として装置の識別子を取得し、かつ、上記装置にログオンされているメンバーアカウントを取得する現行装置取得モジュールと、
上記現行の装置識別子および上記メンバーアカウントに関する同期要求を、サーバに送信する同期要求送信モジュールと、
上記サーバにより返信される同期結果を受信する同期結果受信モジュールと、を備えており、
上記同期結果は、同期されるべき装置識別子に関するメンバー利得および対応する上記メンバーアカウントのメンバー期間を、クエリを行うことを通じて上記サーバによって取得された、上記現行の装置識別子に関するメンバー利得および対応する上記メンバーアカウントのメンバー期間と、同期させた結果であり、
同期されるべき上記装置識別子は、上記現行の装置識別子とは異なる。
【００１８】
さらに、
上記同期要求送信モジュールは、
上記現行の装置識別子および上記メンバーアカウントを含んでいるコレクションクエリ要求を、上記サーバに送信するコレクションクエリ要求送信サブモジュールと、
上記サーバによって返信される少 なくとも１つのコレクションクエリ結果を取得するコレクションクエリ結果受信サブモジュールと、
上記コレクションクエリ結果を表示し、かつ、上記コレクションクエリ結果についての選択操作を受けて、選択された受け入れられたものを含んでいる同期要求を上記サーバに送信する表示サブモジュールと、を特に備えており、
上記コレクションクエリ結果は、クエリを行うことを通じて上記サーバによって取得された、コレクション可能な装置識別子に関するメンバー利得および対応する上記メンバーアカウントのメンバー期間であり、
上記コレクション可能な装置識別子は、上記現行の装置識別子とは異なり、
それぞれのコレクションクエリ結果は、単一のコレクション可能な装置識別子に対応し、
選択された上記装置識別子は、上記選択操作によって選択された上記コレクションクエリ結果に対応する、上記コレクション可能な装置識別子であり、
上記サーバは、受信された上記同期要求に含まれている選択された上記装置識別子を、同期されるべき上記装置識別子として用いる。
【００１９】
本開示の別の実施形態は、複数の装置間においてメンバー利得を同期させるための装置を提供する。当該装置は、
１つ以上のプロセッサと、
メモリと、
１つ以上のプログラムと、を含んでおり、
１つ以上の上記プログラムは、上記メモリに記憶されており、かつ、１つ以上の上記プロセッサによって実行され、
１つ以上の上記プログラムは、
現行の装置識別子として装置の識別子を取得し、かつ、上記装置にログオンされているメンバーアカウントを取得する命令と、
上記現行の装置識別子および上記メンバーアカウントに関する同期要求を、上記サーバに送信する同期要求送信モジュールと、
上記サーバによって返信される同期結果を受信する同期結果受信モジュールと、を含んでおり、
上記同期結果は、同期されるべき装置識別子に関するメンバー利得および対応する上記メンバーアカウントのメンバー期間を、クエリを行うことを通じて上記サーバによって取得された、上記現行の装置識別子に関するメンバー利得および対応する上記メンバーアカウントのメンバー期間と、同期させた結果であり、
同期されるべき上記装置識別子は、上記現行の装置識別子とは異なる。
【００２０】
さらに、
上記現行の装置識別子および上記メンバーアカウントに関する上記同期要求を、上記サーバに送信することは、
上記現行の装置識別子および上記メンバーアカウントを含んでいるコレクションクエリ要求を、上記サーバに送信することと、
上記サーバによって返信された少なくとも１つのコレクションクエリ結果を取得することと、
上記コレクションクエリ結果を表示し、かつ、上記コレクションクエリ結果についての選択操作を受けて、選択された装置識別子を含んでいる同期要求を上記サーバに送信することと、を特に含んでおり、
上記コレクションクエリ結果は、クエリを行うこと通じて上記サーバによって取得された、コレクション可能な装置識別子に関するメンバー利得および対応する上記メンバーアカウントのメンバー期間であり、
上記コレクション可能な装置識別子は、上記現行の装置識別子とは異なり、
それぞれのコレクションクエリ結果は、単一のコレクション可能な装置識別子に対応し、
選択された上記装置識別子は、上記選択操作によって選択された上記コレクションクエリ結果に対応する上記コレクション可能な装置識別子であり、
上記サーバは、受信された上記同期要求に含まれている選択された上記装置識別子を、同期されるべき上記装置識別子として用いる。
【００２１】
本開示の別の実施形態は、複数の装置間においてメンバー利得を同期させるためのサーバを提供する。当該サーバは、
現行の装置の識別子である現行の装置識別子と上記現行の装置に記録されているメンバーアカウントとに関する同期要求を、装置から受信する同期要求受信モジュールと、
同期されるべき装置識別子に関するメンバー利得および対応する上記メンバーアカウントのメンバー期間を、クエリを行うことを通じて取得された、上記現行の装置識別子に関するメンバー利得および対応する上記メンバーアカウントのメンバー期間と同期させた結果を、上記同期結果として用いる同期結果取得モジュールと、
上記同期結果を上記装置に返信する同期結果送信モジュールと、を備えており、
同期されるべき上記装置識別子は、上記現行の装置識別子とは異なる。
【００２２】
さらに、
上記同期要求受信モジュールは、
上記現行の装置の上記識別子である上記現行の装置識別子と上記現行の装置に記録されている上記メンバーアカウントとを含んでいるコレクションクエリ要求を受信するコレクションクエリ要求受信サブモジュールと、
クエリを行うことを通じて、少なくとも１つのコレクションクエリ結果を取得するコレクションクエリ結果サブモジュールと、
少なくとも１つのコレクションクエリ結果を、上記装置に返信するコレクションクエリ結果送信サブモジュールと、
上記コレクションクエリ結果についての選択操作を受けて上記装置によって送信される、選択された装置識別子を含んでいる同期要求を受信し、受信された上記同期要求に含まれている選択された上記装置識別子を、同期されるべき上記装置識別子として用いる選択結果受信サブモジュールと、を特に備えており、
それぞれのコレクションクエリ結果は、コレクション可能な装置識別子に関するメンバー利得および対応する上記メンバーアカウントのメンバー期間であり、
上記コレクション可能な装置識別子は、上記現行の装置識別子とは異なり、
それぞれのコレクションクエリ結果は、単一のコレクション可能な装置識別子に対応し、
上記コレクションクエリ結果は、上記装置において表示され、
選択された上記装置識別子は、上記選択操作によって選択されたコレクションクエリ結果に対応する上記コレクション可能な装置識別子である。
【００２３】
さらに、
同期されるべき上記装置識別子に関する上記メンバー利得および上記対応する上記メンバーアカウントのメンバー期間を、クエリを行うことを通して取得された、上記現行の装置識別子に関する上記メンバー利得および上記対応する上記メンバーアカウントのメンバー期間と同期させることは、
同期されるべき上記装置識別子に関する上記メンバー利得および上記対応する上記メンバーアカウントのメンバー期間を、同期されるべきメンバー利得および対応する同期されるべきメンバー期間として用い、かつ、
上記現行の装置識別子に関する上記メンバー利得および上記対応する上記メンバーアカウントのメンバー期間を、現行のメンバー利得および対応する現行のメンバー期間として用いることと、
上記現行のメンバー利得と同一である上記同期されるべきメンバー利得に対応する同期されるべき上記メンバー期間を、同期されたメンバー期間として、上記対応する現行のメンバー期間に追加し、かつ、
上記対応する現行のメンバー期間を、同期された上記メンバー期間として更新することと、を特に含んでいる。
【００２４】
本開示の別の実施形態は、複数の装置間においてメンバー利得を同期させるためのサーバを提供する。当該サーバは、
１つ以上のプロセッサと、
メモリと、
１つ以上のプログラムと、を含んでおり、
１つ以上の上記プログラムは、上記メモリに記憶されており、かつ、１つ以上の上記プロセッサによって実行され、
１つ以上の上記プログラムは、
現行の装置の識別子である現行の装置識別子と上記現行の装置に記録されているメンバーアカウントとに関する同期要求を、装置から受信し、
同期されるべき装置識別子に関するメンバー利得および対応する上記メンバーアカウントのメンバー期間を、クエリを行うことを通じて取得される上記現行の装置識別子に関するメンバー利得および対応する上記メンバーアカウントのメンバー期間と同期させた結果を、上記同期結果として用い、
上記同期結果を上記装置に返信する命令を含んでおり、
同期されるべき上記装置識別子は、上記現行の装置識別子とは異なる。
【００２５】
さらに、
上記現行の装置の上記識別子である上記現行の装置識別子と上記現行の装置に記録されている上記メンバーアカウントとに関する上記同期要求を、上記装置から受信することは、
上記現行の装置の識別子である上記現行の装置識別子と上記現行の装置に記録されている上記メンバーアカウントとを含んでいるコレクションクエリ要求を受信することと、
クエリを行うことを通じて、少なくとも１つのコレクションクエリ結果を取得することと、
少なくとも１つのコレクションクエリ結果を、上記装置に返信することと、
上記コレクションクエリ結果についての選択操作を受けて上記装置によって送信された、選択された装置識別子を含んでいる同期要求を受信し、受信された上記同期要求に含まれている選択された上記装置識別子を、同期されるべき上記装置識別子として用いることと、を特に含んでおり、
それぞれのコレクションクエリ結果は、コレクション可能な装置識別子に関するメンバー利得および対応する上記メンバーアカウントのメンバー期間であり、
上記コレクション可能な装置識別子は、上記現行の装置識別子とは異なり、
それぞれのコレクションクエリ結果は、単一のコレクション可能な装置識別子に対応し、
上記コレクションクエリ結果は、上記装置において表示され、
選択された上記装置識別子は、上記選択操作によって選択された上記コレクションクエリ結果に対応する上記コレクション可能な装置識別子である。
【００２６】
そして、さらに、
同期されるべき上記装置識別子に関する上記メンバー利得および上記対応する上記メンバーアカウントのメンバー期間を、クエリを行うことを通じて取得された、上記現行の装置識別子に関する上記メンバー利得および上記対応する上記メンバーアカウントのメンバー期間と同期させることは、
同期されるべき上記装置識別子に関する上記メンバー利得および上記対応する上記メンバーアカウントのメンバー期間を、同期されるべきメンバー利得および対応する同期されるべきメンバー期間として用い、かつ 、
上記現行の装置識別子に関する上記メンバー利得および上記対応する上記メンバーアカウントのメンバー期間を、現行のメンバー利得および対応する現行のメンバー期間として用いることと、
上記現行のメンバー利得と同一である上記同期されるべきメンバー利得に対応する同期されるべき上記メンバー期間を、同期されたメンバー期間として、上記対応する現行のメンバー期間に追加し、かつ、
上記対応する現行のメンバー期間を、同期された上記メンバー期間として更新することと、を特に含んでいる。
【００２７】
本開示の一実施形態は、複数の装置間においてメンバー利得を同期させるためのシステムを提供する。当該システムは、上述の装置とサーバとを備えている。
【００２８】
本開示の各実施形態によれば、異なる装置に関する上記メンバー利得および上記対応する同じアカウントの期間は、上記サーバを通じて検索され、その後、同期される。その結果、複数の装置間において、同じアカウントの上記メンバー利得を共有する機能が実 現される。
【００２９】
＜図面の簡単な説明＞
［図１］本開示の一実施形態によって提供される、装置において適用されている、複数の装置間においてメンバー利得を同期させるための方法の工程図である。
【００３０】
［図２］本開示の一実施形態によって提供される、装置において複数のコレクションクエリ結果を表示した結果を示している模式図である。
【００３１】
［図３］本開示の一実施形態によって提供される、サーバにおいて適用されている、複数の装置間においてメンバー利得を同期させるための方法の工程図である。
【００３２】
［図４］本開示の一実施形態によって提供される、複数の装置間においてメンバー利得を同期させるための装置の構造モデル図である。
【００３３】
［図５］本開示の一実施形態によって提供される装置の構造ブロック図である。
【００３４】
［図６］本開示の一実施形態によって提供される、複数の装置間においてメンバー利得を同期させるためのサーバの構造モデル図である。
【００３５】
［図７］本開示の一実施形態によって提供されるサーバの構造ブロック図である。
【００３６】
［図８］本開示の一実施形態によって提供される、複数の装置間においてメンバー利得を同期させるためのシステムの構造モデル図である。
【００３７】
［図９］本開示の他の実施形態によって提供される、複数の装置間においてメンバー利得を同期させるための方法の工程図である。
【００３８】
＜詳細な説明＞
以下、図面および具体的な実施形態を参照しながら、本開示が更に詳細に説明される。
【００３９】
図１は、本開示の実施形態によって提供される、複数の装置間においてメンバー利得を同期させるための方法の工程図を示している。当該方法は、
工程Ｓ１０１：現行の装置識別子として装置の識別子を取得し、上記装置にログオンしているメンバーアカウントを取得する工程と、
工程Ｓ１０２：上記現行の装置識別子および上記メンバーアカウントに関する同期要求を、サーバに送信する工程と、
工程Ｓ１０３：上記サーバによって返信された同期結果を受信する工程と、を含んでおり、
上記同期結果は、クエリを行うことを通じて上記サーバによって取得されるものであり、同期されるべき装置識別子に関するメンバー利得および対応する上記メンバーアカウントのメンバー期間を、上記現行の装置識別子に関するメンバー利得および対応する上記メンバーアカウントのメンバー期間と、同期させた結果であり、同期されるべき上記装置識別子は、上記現行の装置識別子とは異なる。
【００４０】
工程Ｓ１０１において取得される上記装置識別子は、上記装置のメディアアクセス制御（Media Access Control、ＭＡＣ）アドレス（物理アドレスとも呼ばれる）、名前、上記装置のＩＰアドレス、またはその類のものの、いずれであってもよい。上記装置は、上記現行の装置識別子を通じて示される。工程Ｓ１０２において上記同期要求が送信され、工程１０３において上記同期結果が取得される。ここで、上記同期結果とは、他の装置に関するメンバー利得および対応する同じメンバーアカウントのメンバー期間を、上記現行の装置識別子によって示されている上記装置に関するメンバー利得および対応する上記メンバーアカウントのメンバー期間と、同期させた結果（当該結果は、クエリを行うことを通じて上記サーバによって取得される）である。
【００４１】
一実施形態によると、上記現行の装置識別子はスマートフォンを表しており、上記同期されるべき装置識別子はスマートＴＶを表している。このとき、本実施形態の大筋は、以下の通りである。
【００４２】
まず、ユーザはスマートＴＶを購入し、その後、メンバーアカウントを用いて、上記スマートＴＶを起動しログインする。このようにして、上記スマートＴＶに関するメンバー利得、および対応する上記メンバーアカウントのメンバー期間を取得する。記載を容易にするために、上記スマートＴＶに関する上記メンバー利得および上記対応する上記メンバーアカウントのメンバー期間を、ハイビジョンメンバー利得およびハイビジョンメンバー期間と定義する。
【００４３】
次に、上記ユーザはスマートフォンを購入し、その後、同じメンバーアカウントを用いて、上記スマートフォンを起動しログインする。このようにして、上記スマートフォンに関するメンバー利得、および対応する上記メンバーアカウントのメンバー期間を取得する。記載を容易にするために、上記スマートフォンに関する上記メンバー利得および上記対応する上記メンバーアカウントのメンバー期間を、携帯電話メンバー利得および携帯電話メンバー期間と定義する。
【００４４】
同期操作のために上記スマートフォンが用いられるとき、上記メンバーアカウントと同様に、上記ハイビジョンメンバー利得および上記ハイビジョンメンバー期間も、クエリを行うことを通じてサーバによって取得されてよい。結果として、上記スマートフォンの上記携帯電話メンバー利得および上記携帯電話メンバー期間は、上記ハイビジョンメンバー利得および上記ハイビジョンと同期される。
【００４５】
同様に、同期操作のために上記スマートフォンが用いられるとき、上記スマートＴＶの上記ハイビジョンメンバー利得および上記ハイビジョンメンバー期間はまた、上記携帯電話メンバー利得および上記携帯電話メンバー期間と同期されてよい。
【００４６】
本開示の一実施形態によると、異なる装置に関する上記メンバー利得および上記対応する同じメンバーアカウントのメンバー期間は、上記サーバを通じて検索され、その後、同期される。その結果、複数の装置間において、同じアカウントの上記メンバー利得を共有する機能が実現される。
【００４７】
同じメンバーアカウントが、複数の装置識別子に関するメンバー利得および対応するメンバー期間を有しているならば、任意の１つの装置識別子が、上記サーバにおいて同期されるべき上記装置識別子として選択されてよい。
【００４８】
一実施形態において、上記現行の装置識別子および上記メンバーアカウントに関する上記同期要求を、上記サーバに送信する工程は、
上記現行の装置識別子および上記メンバーアカウントを含んでいるコレクションクエリ要求を、上記サーバに送信する工程と、
上記サーバによって返信された、少なくとも１つのコレクションクエリ結果を取得する工程（上記コレクションクエリ結果は、クエリを行うことを通じて上記サーバによって取得された、コレクション可能な装置識別子に関するメンバー利得および対応する上記メンバーアカウントのメンバー期間である。上記コレクション可能な装置識別子は、上記現行の装置識別子とは異なる。それぞれのコレクションクエリ結果は、単一のコレクション可能な装置識別子と対応している。）と、
上記コレクションクエリ結果を表示し、かつ、上記コレクションクエリ結果についての選択操作を受けて、選択された装置識別子を含んでいる同期要求を上記サーバに送信する工程（選択された上記装置識別子は、上記選択操作によって選択された上記コレクションクエリ結果に対応する、上記コレクション可能な装置識別子である。）と、を特に含んでおり、
上記サーバは、受信された同期要求に含まれている選択された上記装置識別子を、同期されるべき上記装置識別子として用いる。
【００４９】
本実施形態において、複数のコレクションクエリ要求が取得された後、上記コレクションクエリ結果２１は、上記装置において表示される（その表示結果は、図２に示されている）。上記ユーザは、上記装置２０において、１つのコレクションクエリ結果２１をクリックすることで、上記コレクションクエリ結果を選択する。そして、上記同期要求を上記サーバに送信することを通じて、上記コレクションクエリ結果を、上記現行の装置識別子の上記メンバー利得および上記メンバー期間と同期させる。
【００５０】
本実施形態によると、上記ユーザは、上記同期されるべき装置を自分自身で選択するので、上記ユーザ独自の選択要求をより柔軟に満たすことが可能となる。
【００５１】
図３は、本開示の一実施形態によって提供される、複数の装置間においてメンバー利得を同期させるための方法の工程図を示している。当該方法は、
工程Ｓ３０１：上記現行の装置の識別子である上記現行の装置識別子と上記現行の装置において記録されている上記メンバーアカウントとに関する同期要求を、装置から受信する工程と、
工程Ｓ３０２：同期されるべき装置識別子に関するメンバー利得および対応する上記メンバーアカウントのメンバー期間を、上記現行の装置識別子に関するメンバー利得および対応する上記メンバーアカウントのメンバー期間と同期させた結果を、上記同期結果として用いる工程（同期されるべき上記装置識別子は、上記現行の装置識別子とは異なる。）と、
工程Ｓ３０３：上記同期結果を上記装置に返信する工程と、を含んでいる。
【００５２】
上記の処理（employment）は、受信した同期要求に従って同期処理を行う上記サーバの工程を表している。
【００５３】
一実施形態において、上記現行の装置の上記識別子である上記現行の装置識別子と上記現行の装置に記録されているメンバーアカウントとに関する上記同期要求を、上記現行の装置から受信する工程は、
上記現行の装置の識別子である上記現行の装置識別子と上記現行の装置に記録されている上記メンバーアカウントを含んでいるコレクションクエリ要求を受信する工程と、
クエリを行うことを通じて、少なくとも１つのコレクションクエリ結果を取得する工程（それぞれのコレクションクエリ結果は、コレクション可能な装置識別子に関するメンバー利得および対応する上記メンバーアカウントのメンバー期間である。上記コレクション可能な装置識別子は、上記現行の装置識別子とは異なる。それぞれのコレクションクエリ結果は、単一のコレクション可能な装置識別子に対応している。）と、
少なくとも１つのコレクションクエリ結果を、上記装置に返信する工程（上記コレクションクエリ結果は、上記装置において表示される。）と、
上記コレクションクエリ結果についての選択操作を受けて上記装置により送信された、選択された装置識別子を含んでいる同期要求を受信し、受信された上記同期要求に含まれている選択された上記装置識別子を、同期されるべき上記装置識別子として用いる工程（選択された上記装置識別子は、上記選択操作によって選択された上記コレクションクエリ結果に対応する上記コレクション可能な装置識別子である。）と、を特に含んでいる。
【００５４】
一実施形態において、同期されるべき上記装置識別子に関する上記メンバー利得および上記対応する上記メンバーアカウントのメンバー期間を、クエリを行うことを通じて取得された上記現行の装置識別子に関する上記メンバー利得および上記対応する上記メンバーアカウントのメンバー期間と同期させる工程は、
同期されるべき上記装置識別子に関する上記メンバー利得および上記対応する上記メンバーアカウントのメンバー期間を、同期されるべきメンバー利得および対応する同期されるべきメンバー期間として用い、かつ、
上記現行の装置識別子に関する上記メンバー利得および上記対応する上記メンバーアカウントのメンバー期間を、現行のメンバー利得および対応する現行のメンバー期間として用いる工程と、
上記現行のメンバー利得と同一である上記同期されるべきメンバー利得の上記対応する同期されるべき上記メンバー期間を、同期されたメンバー期間として、上記対応する現行のメンバー期間に追加し、かつ、
上記対応する現行のメンバー期間を、同期された上記メンバー期間として更新する工程と、を特に含んでいる。
【００５５】
上記同期されるべき装置識別子に関する上記メンバー利得および上記対応する上記メンバーアカウントのメンバー期間を、クエリを行うことを通じて取得される上記現行の装置識別子に関する上記メンバー利得および上記対応する上記メンバーアカウントのメンバー期間と、同期させることは、より短いメンバー期間を、より長いメンバー期間によって包含することであってよい。しかし、この方法のユーザエクスペリエンスは、より悪い。本実施形態における特定の同期操作は、同じメンバー利得に対応するメンバー期間を、互いに部分的に共有させることである。
【００５６】
一実施形態によると、上記現行の装置識別子はスマートフォンを表しており、上記同期されるべき装置識別子はスマートＴＶを表している。このとき、本実施形態の大筋は、以下の通りである。
【００５７】
まず、ユーザはスマートＴＶを購入し、その後、メンバーアカウントを用いて、上記スマートＴＶを起動しログインする。このようにして、上記スマートＴＶに関するビデオメンバー利得および対応する上記メンバーアカウントのメンバー期間を取得する。記載を容易にするために、上記スマートＴＶに関する上記ビデオメンバー利得および上記対応する上記メンバーアカウントのメンバー期間を、ハイビジョンビデオメンバー利得およびハイビジョンビデオメンバー期間と定義する（ここで、上記ハイビジョンビデオメンバー期間を５００時間とする）。
【００５８】
次に、上記ユーザはスマートフォンを購入し、その後、同じメンバーアカウントを用いて、上記スマートフォンを起動しログインする。このようにして、上記スマートフォンに関するビデオメンバー利得および対応する上記メンバーアカウントのメンバー期間を取得する。記載を容易にするために、上記スマートフォンに関する上記ビデオメンバー利得および上記対応する上記メンバーアカウントのメンバー期間を、携帯電話ビデオメンバー利得および携帯電話ビデオメンバー期間と定義する（ここで、上記携帯電話ビデオメンバー期間は５００時間である）。
【００５９】
同期操作のために上記スマートフォンが用いられるとき、上記メンバーアカウントと同様に、上記ハイビジョンビデオメンバー利得および上記ハイビジョンビデオメンバー期間も、クエリを行うことを通じてサーバによって取得されてよい。上記ハイビジョンビデオメンバー利得は、上記携帯電話ビデオメンバー利得と一致しているので、上記ハイビジョンビデオメンバー期間は、上記携帯電話ビデオメンバー期間と部分的に共有されてよい。結果として、上記携帯電話ビデオメンバー期間は、５００時間から１０００時間へと増加される。
【００６０】
同様に、同期操作のために上記スマートフォンが用いられるとき、上記スマートＴＶの上記ハイビジョンビデオメンバー期間はまた、１０００時間へと増加されてよい。
【００６１】
図９は、本開示の他の実施形態によって提供される、複数の装置間においてメンバー利得を同期させるための方法の工程図を示している。当該方法は、以下の工程を含んでいる。
【００６２】
工程Ｓ９０１において、携帯電話のコレクションActivityは、コレクションインターフェースを表示する。ユーザがコレクションを選択した後、上記携帯電話に書き込まれているプリセットコードキーは、他のハードウェアベンダーにより提供されているＡＩＤＬを通じて取り出され、上記携帯電話のＩＭＥＩ番号は、TelephoneManagerのgetDeviceId()メソッドを通じて取得される。ユーザトークンは、AccountManageのpeekAuthTokenメソッドを通じて取得される。上記ユーザトークンは、上記ユーザの全ての情報を含んでおり、特にメンバーアカウントを含んでいる。
【００６３】
工程Ｓ９０２において、取得された情報は、クラウドプラットフォームにより提供されているappidおよびplatと組み合わされ、対応するフィールドとして結合される。その後、ＭＤ５暗号化が行われる。暗号化の方法は以下の通りである：sign=md5("appid="+"value"+"&devid="+"value"+"&key="+"value"+"&plat="+"value"+"&"+署名キー)。
【００６４】
工程Ｓ９０３において、コレクションクエリ要求は、HttpClientのGETを通じて、上記クラウドプラットフォームに送信される。次に、RequestCallbackのインターフェースが用いられ、上記クラウドプラットフォームから取得された、共有されているメンバー期間情報を呼び戻す。そして、返信されたJsonフィールドは、JSONObjectを用いて構文解析される。仮に、上記取得された情報の配列の長さが１ならば、ただ１つだけメンバー期間が与えられていることを表している。次に、上記データのmac、title、fromおよびidフィールドが構文解析され、構文解析されたデータが表示される。次に、それぞれの単一の贈与メンバー期間をコレクトするために、ユーザはコレクションボタンをクリックしてよい。複数の情報配列が取得されたならば、それぞれのデータは、JSONArrayを用いて保存され、上記データの全項目は、ListViewを用いて表示される。それぞれのListView項目は、上記mac、title、fromおよびidフィールドを有する。上記データはGetFullScreenVipProtocalActivityに伝送され、その後、対応する情報は、上記Activityにおいて表示される。次に、それぞれの単一の贈与メンバー期間をコレクトするために、上記コレクションボタンはクリックされてよい。
【００６５】
工程Ｓ９０４において、上記ユーザは、上記コレクションボタンをクリックする。当該クリックは、HttpClientのPOSTを通じて、上記クラウドプラットフォームに同期要求を送信する。その後、上記RequestCallbackのインターフェースが用いられて、上記クラウドプラットフォームから取得された、共有されているメンバー期間情報が呼び戻され、返信されたJsonフィールドがJSONObjectを用いて構文解析され、そしてdoneフィールドが構文解析される。上記フィールドの上記長さが１ならば、上記コレクションは成功したことを表している。そして、上記フィールドの上記長さが０ならば、上記コレクションは失敗したことを表している。その後、返信された上記titleおよびinfoフィールドが構文解析され、コレクション結果が表示される。
【００６６】
工程Ｓ９０５において、上記コレクションが終了した後、終了ボタンをクリックすることにより、上記結果はsetResultを通じて前のページに転送される。次に、Activityのfinish()メソッドを呼び出すことにより、上記ページは直接的に終了される。呼び出された前のページがonActivityResultを通じて返信された結果を受信した後、上記コレクションが成功したならば、当該ページは、アカウント情報のページに戻るために直接的に終了して、上記情報の表示およびメンバー期間をリフレッシュする。上記コレクションが失敗したならば、現在のページに留まる。
【００６７】
本開示の一実施形態により、他のappに対するコレクションインターフェースストラテジが、以下のように提供される。
【００６８】
好ましくは、他のappは、Intentを介する上述のコレクションActivityに必要とされるメンバーアカウントおよびapp nameを伝送し得る。ここで、上記Activityは、異なるfromパラメータ（すなわち、app name）に従って判断し、成功したコレクションの後、異なるインターフェースおよびプロンプトを表示する。これらを呼び出す方法は、以下の通りである：
intent.putExtra("report_id","");
intent.putExtra("from", /*app name*/);
intent.setClass(this, GetFullScreenVipViaTVActivity.class);
startActivityForResult(intent);。
【００６９】
上記コレクション結果は、２つの異なるやり方で提供される：
１．上記結果を、setResultを通じて呼び出し元に直接的に返信する、
２．結果ブロードキャストを送信する。ここで、上記ブロードキャストを受信した後で、上記呼び出し元は、上記ブロードキャストによって返信されたフィールドに従って判断する。
【００７０】
図４は、本開示の一実施形態によって提供される、複数の装置間においてメンバー利得を同期させるための装置の構造モデル図である。当該構造モデルは、
現行の装置識別子として装置の識別子を取得し、かつ、上記装置にログオンされているメンバーアカウントを取得する現行装置取得モジュール４１０と、
上記現行の装置識別子および上記メンバーアカウントに関する同期要求を、サーバに送信する同期要求送信モジュール４２０と、
上記サーバにより返信される同期結果を受信する同期結果受信モジュール４３０と、を備えており、
上記同期結果は、同期されるべき装置識別子に関するメンバー利得および対応する上記メンバーアカウントのメンバー期間を、クエリを行うことを通じて上記サーバによって取得された、上記現行の装置識別子に関するメンバー利得および対応する上記メンバーアカウントのメンバー期間と、同期させた結果であり、同期されるべき上記装置識別子は、上記現行の装置識別子とは異なる。
【００７１】
図５は、本開示の一実施形態によって提供される装置の構造ブロック図である。好ましくは、上記装置は、携帯電話、スマートフォンまたはその類のものであり、主としてプロセッサ５１、メモリ５２、通信コンポーネント５３および表示画面５４などを備えている。
【００７２】
ここで、上記メモリ５２は、特に上記プロセッサ５１によって実行される、上述されている方法の特定のコードを記憶している。上記通信コンポーネント５３を通じて、上記同期要求は上記サーバへ送信され、上記同期結果は受信される。上記同期結果は、上記表示画面５４上に表示される。
【００７３】
更に、上述の上記メモリ５２における論理命令は、ソフトウェア機能ユニットを通じて実装され、かつ独立した製品として販売または使用されるならば、コンピュータ読み取り可能な記憶媒体に記憶されていてよい。このような理解に基づくと、本開示の技術的解決法は本質的に、または、先行技術に寄与している部分もしくは本技術的解決法の一部は、ソフトウェア製品の形態で実装されていてよい。コンピュータソフトウェア製品は、記憶媒体に記憶されており、本開示のそれぞれの実施形態に係る方法の工程の全部または一部を携帯端末（当該携帯端末は、パーソナルコンピュータ、サーバ、またはその他のネットワーク装置類であってよい）に実行するように命令するためのいくつかの命令を含んでいる。また、上述されている記憶媒体は、ＵＳＢディスク、携帯ハードディスクドライブ、リードオンリーメモリ（ＲＯＭ、Read-Only Memory）、ランダムアクセスメモリ（ＲＡＭ、Random Access Memory）、磁気ディスクまたは光学ディスクなどの、プログラムコードを記憶することのできる任意の媒体を含む。
【００７４】
上述されている本装置の実施形態は、単なる典型例である。当該実施形態において分離した部品として描かれているユニットは、物理的に分離されていても、物理的に分離されていなくても、いずれであってもよい。また、ユニットとして表示されている部品は、物理的なユニットであっても、物理的なユニットでなくても、いずれであってもよい。すなわち、上記部品は、同じプレート上に位置していても、複数のネットワークユニットに割り当てられていても、いずれであってもよい。上記モジュールの一部または全部は、本開示の実施形態における解決法の目的を達成するための現実的な必要条件に従って選択されていてよい。当業者は、創造的な研究を経ることなく、理解および実装し得る。
【００７５】
以上の実装方法の説明を通して、それぞれの実装方法が、ソフトウェアおよび必須で共通のハードウェアプラットフォームを組み合わせる方法において実現され得ること、そしてもちろんハードウェアによってもまた実現され得ることを、当業者は明確に理解し得る。このような理解に基づくと、上述されている技術的解決法は本質的に、または先行技術に寄与している部分は、ソフトウェア製品の形態で実装されていてよい。コンピュータソフトウェア製品は、ＲＯＭ／ＲＡＭ、ディスケット、光学ディスクまたはその類のものなどの記憶媒体に記憶されていてよい。また、当該コンピュータソフトウェア製品は、コンピュータ装置（当該コンピュータ装置は、パーソナルコンピュータ、サーバ、またはその他のネットワーク装置類であってよい）に、それぞれの実施形態または上記実施形態の一部に係る方法を実行するように命令するためのいくつかの命令を含んでいる。
【００７６】
一実施形態において、上記同期要求送信モジュール４２０は、
上記現行の装置識別子および上記メンバーアカウントを含んでいるコレクションクエリ要求を、上記サーバに送信するコレクションクエリ要求送信サブモジュール４２１と、
上記サーバによって返信される少なくとも１つのコレクションクエリ結果を取得するコレクションクエリ結果受信サブモジュール４２２（上記コレクションクエリ結果は、クエリを行うことを通じて上記サーバによって取得された、コレクション可能な装置識別子に関するメンバー利得および対応する上記メンバーアカウントのメンバー期間である。上記コレクション可能な装置識別子は、上記現行の装置識別子とは異なる。それぞれのコレクションクエリ結果は、単一のコレクション可能な装置識別子に対応する。）と、
上記コレクションクエリ結果を表示し、かつ、上記コレクションクエリ結果についての選択操作を受けて、上記サーバに受信される、選択された装置識別子を含んでいる同期要求を送信する表示サブモジュール４２３（選択された上記装置識別子は、上記選択操作によって選択された上記コレクションクエリ結果に対応する上記コレクション可能な装置識別子である。）と、を特に備えており、
上記サーバは、受信された上記同期要求に含まれている選択された上記装置識別子を、同期されるべき上記装置識別子として用いる。
【００７７】
本開示の上記実施形態は、複数の装置間においてメンバー利得を同期させるための装置を提供する。当該装置は、１つ以上のプロセッサと、メモリと、１つ以上のプログラムと、を含んでおり、
１つ以上の上記プログラムは、上記メモリに記憶されており、かつ、１つ以上の上記プロセッサによって実行され、
１つ以上の上記プログラムは、
現行の装置識別子として装置の識別子を取得し、かつ、上記装置にログオンされているメンバーアアカウントを取得する命令と、
上記現行の装置識別子および上記メンバーアカウントに関する同期要求を、上記サーバに送信する同期要求送信モジュールと、
上記サーバによって返信される同期結果を受信する同期結果受信モジュールと、を含んでおり、
上記同期結果は、同期されるべき装置識別子に関するメンバー利得および対応する上記メンバーアカウントのメンバー期間を、クエリを行うことを通じて上記サーバによって取得された、上記現行の装置識別子に関するメンバー利得および対応する上記メンバーアカウントのメンバー期間と、同期させた結果であり、同期されるべき上記装置識別子は、上記現行の装置識別子とは異なる。
【００７８】
一実施形態において、上記現行の装置識別子および上記メンバーアカウントに関する上記同期要求を、上記サーバに送信することは、
上記現行の装置識別子および上記メンバーアカウントを含んでいるコレクションクエリ要求を、上記サーバに送信することと、
上記サーバによって返信された少なくとも１つのコレクションクエリ結果を取得すること（上記コレクションクエリ結果は、クエリを行うこと通じて上記サーバによって取得された、コレクション可能な装置識別子に関するメンバー利得および対応する上記メンバーアカウントのメンバー期間である。上記コレクション可能な装置識別子は、上記現行の装置識別子とは異なる。それぞれのコレクションクエリ結果は、単一のコレクション可能な装置識別子に対応する。）と、
上記コレクションクエリ結果を表示し、かつ、上記コレクションクエリ結果についての選択操作を受けて、選択された受け入れられたものを含んでいる同期要求を上記サーバに送信すること（選択された上記装置識別子は、上記選択操作によって選択された上記コレクションクエリ結果に対応する上記コレクション可能な装置識別子である。）と、を特に含んでおり、
上記サーバは、受信された上記同期要求に含まれている選択された上記装置識別子を、同期されるべき上記装置識別子として用いる。
【００７９】
図６は、本開示の一実施形態によって提供される、複数の装置間においてメンバー利得を同期させるための装置の構造モデル図である。当該構造モデルは、
上記現行の装置の識別子である現行の装置識別子と上記現行の装置において記録されているメンバーアカウントとに関する同期要求を受信する同期要求受信モジュール６１０と、
同期されるべき装置識別子に関するメンバー利得および対応する上記メンバーアカウントのメンバー期間を、クエリを行うことを通じて取得された、上記現行の装置識別子に関するメンバー利得および対応する上記メンバーアカウントのメンバー期間と同期させた結果を、上記同期結果として用いる同期結果取得モジュール６２０（同期されるべき上記装置識別子は、上記現行の装置識別子とは異なる。）と、
上記同期結果を上記装置に返信する同期結果送信モジュール６３０と、を備えている。
【００８０】
図７は、本開示の一実施形態によって提供されるサーバの構造ブロック図である。上記サーバは、コンピュータであっても、複数のコンピュータから構成されるクラスタであっても、いずれでもよく、主としてプロセッサ７１、メモリ７２、および通信コンポーネント７３などを備えている。
【００８１】
ここで、上記メモリ７２は、特に上記プロセッサ７１によって実行される、上述されている方法の特定のコードを記憶している。上記装置によって送信された上記同期要求は、上記通信コンポーネント７３を通じて受信される。特定の同期結果は、クエリが行われ、同時に上記プロセッサ７１によって上記メモリ７２から取得される。その後、上記同期結果は、通信コンポーネント７３を通じて上記装置に送信される。
【００８２】
更に、上述の上記メモリ７２における論理命令は、ソフトウェア機能ユニットを通じて実装され、かつ独立した製品として販売または使用されるならば、コンピュータ読み取り可能な記憶媒体に記憶されていてよい。このような理解に基づくと、本開示の技術的解決法は本質的に、または、先行技術に寄与している部分もしくは本技術的解決法の一部は、ソフトウェア製品の形態で実装されていてよい。コンピュータソフトウェア製品は、記憶媒体に記憶されており、本開示のそれぞれの実施形態に係る方法の工程の全部または一部を携帯端末（当該携帯端末は、パーソナルコンピュータ、サーバ、またはその他のネットワーク装置類であってよい）に実行するように命令するためのいくつかの命令を含んでいる。また、上述されている記憶媒体は、ＵＳＢディスク、携帯ハードディスクドライブ、リードオンリーメモリ（ＲＯＭ、Read-Only Memory）、ランダムアクセスメモリ（ＲＡＭ、Random Access Memory）、磁気ディスクまたは光学ディスクなどの、プログラムコードを記憶することのできる任意の媒体を含む。
【００８３】
上述されている本装置の実施形態は、単なる典型例である。当該実施形態において分離した部品として描かれているユニットは、物理的に分離されていても、物理的に分離されていなくても、いずれであってもよい。また、ユニットとして表示されている部品は、物理的なユニットであっても、物理的なユニットでなくても、いずれであってもよい。すなわち、上記部品は、同じプレート上に位置していても、複数のネットワークユニットに割り当てられていても、いずれであってもよい。上記モジュールの一部または全部は、本開示の実施形態における解決法の目的を達成するための現実的な必要条件に従って選択されていてよい。当業者は、創造的な研究を経ることなく、理解および実装し得る。
【００８４】
以上の実装方法の説明を通して、それぞれの実装方法が、ソフトウェアおよび必須で共通のハードウェアプラットフォームを組み合わせる方法において実現され得ること、そしてもちろんハードウェアによってもまた実現され得ることを、当業者は明確に理解し得る。このような理解に基づくと、上述されている技術的解決法は本質的に、または先行技術に寄与している部分は、ソフトウェア製品の形態で実装されていてよい。コンピュータソフトウェア製品は、ＲＯＭ／ＲＡＭ、ディスケット、光学ディスクまたはその類のものなどの記憶媒体に記憶されていてよい。また、当該コンピュータソフトウェア製品は、コンピュータ装置（当該コンピュータ装置は、パーソナルコンピュータ、サーバ、またはその他のネットワーク装置類であってよい）に、それぞれの実施形態または上記実施形態の一部に係る方法を実行するように命令するためのいくつかの命令を含んでいる。
【００８５】
一実施形態において、上記同期要求受信モジュール６１０は、
上記現行の装置の識別子である現行の装置識別子と上記現行の装置において記録されている上記メンバーアカウントとを含んでいるコレクションクエリ要求を受信するコレクションクエリ要求受信サブモジュール６１１と、
クエリを行うことを通じて、少なくとも１つのコレクションクエリ結果を取得するコレクションクエリ結果サブモジュール６１２（それぞれのコレクションクエリ結果は、コレクション可能な装置識別子に関するメンバー利得および対応する上記メンバーアカウントのメンバー期間である。上記コレクション可能な装置識別子は、上記現行の装置識別子とは異なる。それぞれのコレクションクエリ結果は、単一のコレクション可能な装置識別子に対応する。）と、
少なくとも１つのコレクションクエリ結果を、上記装置に返信するコレクションクエリ結果送信サブモジュール６１３（上記コレクションクエリ結果は、上記装置において表示される。）と、
上記コレクションクエリ結果についての選択操作を受けて上記装置によって送信される、選択された装置識別子を含んでいる同期要求を受信し、受信された上記同期要求に含まれている選択された上記装置識別子を、同期されるべき上記装置識別子として用いる選択結果受信サブモジュール６１４（選択された上記装置識別子は、上記選択操作によって選択されたコレクションクエリ結果に対応する上記コレクション可能な装置識別子である。）と、を特に備えている。
【００８６】
一実施形態において、同期されるべき上記装置識別子に関する上記メンバー利得および上記対応する上記メンバーアカウントのメンバー期間を、クエリを行うことを通して取得された、上記現行の装置識別子に関する上記メンバー利得および上記対応する上記メンバーアカウントのメンバー期間と同期させることは、
同期されるべき上記装置識別子に関する上記メンバー利得および上記対応する上記メンバーアカウントのメンバー期間を、同期されるべきメンバー利得および対応する同期されるべきメンバー期間として用い、かつ、
上記現行の装置識別子に関する上記メンバー利得および上記対応する上記メンバーアカウントのメンバー期間を、現行のメンバー利得および対応する現行のメンバー期間として用いることと、
上記現行のメンバー利得と同一である上記同期されるべきメンバー利得の上記対応する同期されるべきメンバー期間を、同期されたメンバー期間として、上記対応する現行のメンバー期間に追加し、かつ、
上記対応する現行のメンバー期間を、同期された上記メンバー期間として更新することと、を特に含んでいる。
【００８７】
本開示の本実施形態は、複数の装置間においてメンバー利得を同期させるためのサーバを提供する。当該サーバは、１つ以上のプロセッサと、メモリと、１つ以上のプログラムとを備え、
１つ以上の上記プログラムは、上記メモリに記憶されており、かつ、１つ以上の上記プロセッサによって実行され、
上記１つ以上のプログラムは、
上記現行の装置の識別子である現行の装置識別子と上記現行の装置において記録されているメンバーアカウントとに関する同期要求を、装置から受信し、
同期されるべき装置識別子に関するメンバー利得および対応する上記メンバーアカウントのメンバー期間を、クエリを行うことを通じて取得される上記現行の装置識別子に関するメンバー利得および対応する上記メンバーアカウントのメンバー期間と同期させた結果を、上記同期結果として用い（同期されるべき上記装置識別子は、上記現行の装置識別子とは異なる。）、
上記同期結果を上記装置に返信する命令を含んでいる。
【００８８】
一実施形態において、上記現行の装置の上記識別子である上記現行の装置識別子と上記現行の装置において記録されている上記メンバーアカウントとに関する上記同期要求を、上記装置から受信することは、
上記現行の装置の識別子である上記現行の装置識別子と上記現行の装置において記録されている上記メンバーアカウントとを含んでいるコレクションクエリ要求を、上記装置から受信することと、
クエリを行うことを通じて、少なくとも１つのコレクションクエリ結果を取得すること（それぞれのコレクションクエリ結果は、コレクション可能な装置識別子に関するメンバー利得および対応する上記メンバーアカウントのメンバー期間である。上記コレクション可能な装置識別子は、上記現行の装置識別子とは異なる。それぞれのコレクションクエリ結果は、単一のコレクション可能な装置識別子に対応する。）と、
少なくとも１つのコレクションクエリ結果を、上記装置に返信すること（上記コレクションクエリ結果は、上記装置において表示される。）と、
上記コレクションクエリ結果についての選択操作を受けて上記装置によって送信された、選択された装置識別子を含んでいる同期要求を受信し、受信された上記同期要求に含まれている選択された上記装置識別子を、同期されるべき上記装置識別子として用いること（選択された上記装置識別子は、上記選択操作によって選択された上記コレクションクエリ結果に対応する上記コレクション可能な装置識別子である。）と、を特に含んでいる。
【００８９】
一実施形態において、同期されるべき上記装置識別子に関する上記メンバー利得および上記対応する上記メンバーアカウントのメンバー期間を、クエリを行うことを通じて取得された、上記現行の装置識別子に関する上記メンバー利得および上記対応する上記メンバーアカウントのメンバー期間と同期させることは、
同期されるべき上記装置識別子に関する上記メンバー利得および上記対応する上記メンバーアカウントのメンバー期間を、同期されるべきメンバー利得および対応する同期されるべきメンバー期間として用い、かつ、
上記現行の装置識別子に関する上記メンバー利得および上記対応する上記メンバーアカウントのメンバー期間を、現行のメンバー利得および対応する現行のメンバー期間として用いることと、
上記現行のメンバー利得と同一である上記同期されるべきメンバー利得の上記対応する同期されるべきメンバー期間を、同期されたメンバー期間として、上記対応する現行のメンバー期間に追加し、かつ、
上記対応する現行のメンバー期間を、同期された上記メンバー期間として更新することと、を特に含んでいる。
【００９０】
図８は、本開示の一実施形態によって提供される、複数の装置間においてメンバー利得を同期させるためのシステムの構造モデル図であり、上述されている装置８１およびサーバ８２を備えている。
【００９１】
特に、上記装置８１は、
上記装置の識別子を現行の装置識別子として取得し、上記装置にログオンされているメンバーアカウントを取得する、上記装置の現行装置取得モジュール８１１と、
上記現行の装置識別子および上記メンバーアカウントに関する同期要求を、サーバに送信する、上記装置の同期要求送信モジュール８２２と、
上記サーバによって返信される同期結果を受信する、上記装置の同期結果受信モジュール８１３と、を備えており、
上記同期結果は、同期されるべき装置識別子に関するメンバー利得および対応する上記メンバーアカウントのメンバー期間を、クエリを行うことを通じて上記サーバによって取得される上記現行の装置識別子に関するメンバー利得および対応する上記メンバーアカウントのメンバー期間と、同期させた結果である。同期されるべき上記装置識別子は、上記現行の装置識別子とは異なる。
【００９２】
上記サーバ８２は、
上記現行の装置の識別子である現行の装置識別子、および上記現行の装置において記録されているメンバーアカウントに関する同期要求を、装置から受信する、上記サーバの同期要求受信モジュール８２１と、
同期させるべき装置識別子に関するメンバー利得および対応する上記メンバーアカウントのメンバー期間を、クエリを行うことを通じて取得される上記現行の装置識別子に関するメンバー利得および対応する上記メンバーアカウントのメンバー期間と同期させた結果を、上記同期結果として用いる、上記サーバの同期結果取得モジュール８２２（同期されるべき上記装置識別子は、上記現行の装置識別子とは異なる。）と、
上記同期結果を上記装置に返信する、上記サーバの同期結果送信モジュール８２３と、を備えている。
【００９３】
以上の実施形態は、本開示の実施形態のいくつか（当該実施形態は、より具体的かつ詳細に説明されている）を、単に表現しているに過ぎない。したがって、当該実施形態は、本開示の特許の範囲に対する制限として理解されることはできない。当業者はまた、本開示の保護の範囲内に全て収まるであろう本開示の考え(conceive)から離れることなく、多くの変更および改良を成し得ることに留意されたい。したがって、本開示の特許保護の範囲は、添付の請求項に従属するであろう。
【図面の簡単な説明】
【００９４】
【図１】本開示の一実施形態によって提供される、装置において適用されている、複数の装置間においてメンバー利得を同期させるための方法の工程図である。
【図２】本開示の一実施形態によって提供される、装置において複数のコレクションクエリ結果を表示した結果を示している模式図である。
【図３】本開示の一実施形態によって提供される、サーバにおいて適用されている、複数の装置間においてメンバー利得を同期させるための方法の工程図である。
【図４】本開示の一実施形態によって提供される、複数の装置間においてメンバー利得を同期させるための装置の構造モデル図である。
【図５】本開示の一実施形態によって提供される装置の構造ブロック図である。
【図６】本開示の一実施形態によって提供される、複数の装置間においてメンバー利得を同期させるためのサーバの構造モデル図である。
【図７】本開示の一実施形態によって提供されるサーバの構造ブロック図である。
【図８】本開示の一実施形態によって提供される、複数の装置間においてメンバー利得を同期させるためのシステムの構造モデル図である。
【図９】本開示の他の実施形態によって提供される、複数の装置間においてメンバー利得を同期させるための方法の工程図である。
【図１】
2017539103.tif 000003
【図２】
2017539103.tif 000004
【図３】
2017539103.tif 000005
【図４】
2017539103.tif 000006
【図５】
2017539103.tif 000007
【図６】
2017539103.tif 000008
【図７】
2017539103.tif 000009
【図８】
2017539103.tif 000010
【図９】
2017539103.tif 000011
【手続補正書】
【提出日】平成28年9月26日(2016.9.26)
【手続補正１】
【補正対象書類名】明細書
【補正対象項目名】全文
【補正方法】変更
【補正の内容】
【発明の詳細な説明】
【発明の詳細な説明】
【０００１】
＜関連出願との相互参照＞
本出願は、中国特許出願２０１５１０６９４５０６．１号（２０１５年１０月２２日出願）に基づいて優先権を主張している国際出願ＰＣＴ／ＣＮ２０１６／０８８３６０号（２０１６年７月４日出願）の国内段階である。それを参照することにより、上記出願の全内容が本明細書に組み込まれる。
【０００２】
＜技術分野＞
本開示は、携帯電話関連の技術の分野に関する。より具体的には、複数の装置間においてメンバー利得を同期させるための方法、装置、サーバおよびシステムに関する。
【０００３】
＜背景技術＞
スマートフォンは、パーソナルコンピュータに類似している携帯電話の種類に関係し、独自のオペレーティングシステムおよび独自の作動空間を有している。当該スマートフォンによって、ユーザは、第三者サービス・プロバイダによって提供されているソフトウェア、ゲームおよびナビゲーションなどのプログラムを単独でインストールすることができる。また、スマートフォンは、移動体通信ネットワークを介してワイヤレスネットワークにアクセスすることができる。
【０００４】
スマートＴＶは、「高解像度」、「ネットワーク化」および「インテリジェント化」の趨勢に追随することによって現れた、スマートマルチメディア端末である。当該スマートＴＶは、インターネット、ビデオ装置、コンピュータなどの複数のチャネルから番組コンテンツを取得する機能、および、簡潔かつ使いやすい一体型操作インターフェースを介して、消費者によって最も必要とされているコンテンツを画面に分かりやすく表示する機能を有している。
【０００５】
上記スマートＴＶの登場は、大型画面による視覚体験を大きく進歩させており、上記スマートＴＶは、家庭用娯楽機器の中心となった。大型画面を介しての視聴中に、同時に番組に関連する情報を検索したり番組の交流に参加したりするために、より多くのユーザが、携帯電話およびタブレットなどの「第２の画面」を選択している。
【０００６】
メンバーアカウントは、ユーザを特定するために使用されている。スマートフォンまたはスマートＴＶを介して上記メンバーアカウントに関するメンバー利得を取得するために、ユーザは、上記メンバーアカウントを用いることができる。通常、上記メンバー利得は、特定の使用期間（すなわち、メンバー期間）を有する。
【０００７】
しかしながら、従来技術においては、それぞれのメンバー利得は１つの装置にしか関連付けられていない（すなわち、上記メンバー利得は、複数の装置間において共有できない）ことが、本発明者によって、本開示を提供する過程の間に見出された。
【０００８】
＜概要＞
この点を踏まえると、複数の装置間において同じメンバーアカウントのメンバー利得を共有できないという上記従来技術の技術上の問題を解決するためには、複数の装置間においてメンバー利得を同期させるための方法、装置、サーバおよびシステムを提供することが必要である。
【０００９】
本開示の一実施形態は、複数の装置間においてメンバー利得を同期させるための方法を提供する。当該方法は、
現行の装置識別子として装置の識別子を取得し、上記装置にログオンしているメンバーアカウントを取得する工程と、
上記現行の装置識別子および上記メンバーアカウントに関する同期要求を、サーバに送信する工程と、
上記サーバによって返信された同期結果を受信する工程と、を含んでおり、
上記同期結果は、同期されるべき装置識別子に関するメンバー利得および対応する上記メンバーアカウントのメンバー期間を、クエリを行うことを通じて上記サーバによって取得された、上記現行の装置識別子に関するメンバー利得および対応する上記メンバーアカウントのメンバー期間と、同期させた結果であり、
同期されるべき上記装置識別子は、上記現行の装置識別子とは異なる。
【００１０】
さらに、
上記現行の装置識別子および上記メンバーアカウントに関する上記同期要求を、上記サーバに送信する工程は、
上記現行の装置識別子および上記メンバーアカウントを含んでいるコレクションクエリ要求を、上記サーバに送信する工程と、
上記サーバによって返信された、少なくとも１つのコレクションクエリ結果を取得する工程と、
上記コレクションクエリ結果を表示し、かつ、上記コレクションクエリ結果についての選択操作を受けて、選択された装置識別子を含んでいる同期要求を上記サーバに送信する工程と、を特に含んでおり、
上記コレクションクエリ結果は、クエリを行うことを通じて上記サーバによって取得された、コレクション可能な装置識別子に関するメンバー利得および対応する上記メンバーアカウントのメンバー期間であり、
上記コレクション可能な装置識別子は、上記現行の装置識別子とは異なり、
それぞれのコレクションクエリ結果は、単一のコレクション可能な装置識別子と対応しており、
選択された上記装置識別子は、上記選択操作によって選択された上記コレクションクエリ結果に対応する、上記コレクション可能な装置識別子であり、
上記サーバは、受信された上記同期要求に含まれている選択された上記装置識別子を、同期されるべき上記装置識別子として用いる。
【００１１】
本開示の一実施形態は、コンピュータプログラムを提供する。当該コンピュータプログラムは、
コンピュータコードを含んでおり、
コンピュータ上で動作する場合に、上述の複数の装置間においてメンバー利得を同期させるための方法の全てのステップを実行する。
【００１２】
さらに、上記コンピュータプログラムは、コンピュータ読み取り可能な媒体に格納されている。
【００１３】
本開示の一実施形態は、複数の装置間においてメンバー利得を同期させるための方法を提供する。当該方法は、
現行の装置の識別子である現行の装置識別子と上記現行の装置に記録されている上記メンバーアカウントとに関する同期要求を、装置から受信する工程と、
同期されるべき装置識別子に関するメンバー利得および対応する上記メンバーアカウントのメンバー期間を、クエリを行うことを通じて取得された、上記現行の装置識別子に関するメンバー利得および対応する上記メンバーアカウントのメンバー期間と同期させた結果を、上記同期結果として用いる工程と、
上記同期結果を上記装置に返信する工程と、を含んでおり、
同期されるべき上記装置識別子は、上記現行の装置識別子とは異なる。
【００１４】
さらに、
上記現行の装置の上記識別子である上記現行の装置識別子と上記現行の装置に記録されている上記メンバーアカウントとに関する上記同期要求を、上記現行の装置から受信する工程は、
上記現行の装置の識別子である上記現行の装置識別子と上記現行の装置に記録されている上記メンバーアカウントとを含んでいるコレクションクエリ要求を受信する工程と、
クエリを行うことを通じて、少なくとも１つのコレクションクエリ結果を取得する工程と、
少なくとも１つのコレクションクエリ結果を、上記装置に返信する工程と、
コレクションクエリ結果についての選択操作を受けて上記装置により送信された、選択された装置識別子を含んでいる同期要求を受信し、受信された上記同期要求に含まれている選択された上記装置識別子を、同期されるべき上記装置識別子として用いる工程と、を特に含んでおり、
それぞれのコレクションクエリ結果は、コレクション可能な装置識別子に関するメンバー利得および対応する上記メンバーアカウントのメンバー期間であり、
上記コレクション可能な装置識別子は、上記現行の装置識別子とは異なり、
それぞれのコレクションクエリ結果は、単一のコレクション可能な装置識別子に対応しており、
上記コレクションクエリ結果は、上記装置において表示され、
選択された上記装置識別子は、上記選択操作によって選択された上記コレクションクエリ結果に対応する上記コレクション可能な装置識別子である。
【００１５】
さらに、
同期されるべき上記装置識別子に関する上記メンバー利得および上記対応する上記メンバーアカウントのメンバー期間を、クエリを行うことを通じて取得された上記現行の装置識別子に関する上記メンバー利得および上記対応する上記メンバーアカウントのメンバー期間と同期させる工程は、
同期されるべき上記装置識別子に関する上記メンバー利得および上記対応する上記メンバーアカウントのメンバー期間を、同期されるべきメンバー利得および対応する同期されるべきメンバー期間として用い、かつ、
上記現行の装置識別子に関する上記メンバー利得および上記対応する上記メンバーアカウントのメンバー期間を、現行のメンバー利得および対応する現行のメンバー期間として用いる工程と、
上記現行のメンバー利得と同一である上記同期されるべきメンバー利得に対応する同期されるべき上記メンバー期間を、同期されたメンバー期間として、対応する現行のメンバー期間に追加し、かつ、
上記対応する現行のメンバー期間を、同期された上記メンバー期間として更新する工程と、を特に含んでいる。
【００１６】
本開示の別の実施形態は、コンピュータプログラムを提供する。当該コンピュータプログラムは、
コンピュータコードを含んでおり、
コンピュータ上で動作する場合に、上述の複数の装置間においてメンバー利得を同期させるための方法の全てのステップを実行する。
【００１７】
さらに、上記コンピュータプログラムは、コンピュータ読み取り可能な媒体に格納されている。
【００１８】
本開示の別の実施形態は、複数の装置間においてメンバー利得を同期させるための装置を提供する。当該装置は、
現行の装置識別子として装置の識別子を取得し、かつ、上記装置にログオンされているメンバーアカウントを取得する現行装置取得モジュールと、
上記現行の装置識別子および上記メンバーアカウントに関する同期要求を、サーバに送信する同期要求送信モジュールと、
上記サーバにより返信される同期結果を受信する同期結果受信モジュールと、を備えており、
上記同期結果は、同期されるべき装置識別子に関するメンバー利得および対応する上記メンバーアカウントのメンバー期間を、クエリを行うことを通じて上記サーバによって取得された、上記現行の装置識別子に関するメンバー利得および対応する上記メンバーアカウントのメンバー期間と、同期させた結果であり、
同期されるべき上記装置識別子は、上記現行の装置識別子とは異なる。
【００１９】
さらに、
上記同期要求送信モジュールは、
上記現行の装置識別子および上記メンバーアカウントを含んでいるコレクションクエリ要求を、上記サーバに送信するコレクションクエリ要求送信サブモジュールと、
上記サーバによって返信される少 なくとも１つのコレクションクエリ結果を取得するコレクションクエリ結果受信サブモジュールと、
上記コレクションクエリ結果を表示し、かつ、上記コレクションクエリ結果についての選択操作を受けて、選択された受け入れられたものを含んでいる同期要求を上記サーバに送信する表示サブモジュールと、を特に備えており、
上記コレクションクエリ結果は、クエリを行うことを通じて上記サーバによって取得された、コレクション可能な装置識別子に関するメンバー利得および対応する上記メンバーアカウントのメンバー期間であり、
上記コレクション可能な装置識別子は、上記現行の装置識別子とは異なり、
それぞれのコレクションクエリ結果は、単一のコレクション可能な装置識別子に対応し、
選択された上記装置識別子は、上記選択操作によって選択された上記コレクションクエリ結果に対応する、上記コレクション可能な装置識別子であり、
上記サーバは、受信された上記同期要求に含まれている選択された上記装置識別子を、同期されるべき上記装置識別子として用いる。
【００２０】
本開示の別の実施形態は、複数の装置間においてメンバー利得を同期させるための装置を提供する。当該装置は、
１つ以上のプロセッサと、
メモリと、
１つ以上のプログラムと、を含んでおり、
１つ以上の上記プログラムは、上記メモリに記憶されており、かつ、１つ以上の上記プロセッサによって実行され、
１つ以上の上記プログラムは、
現行の装置識別子として装置の識別子を取得し、かつ、上記装置にログオンされているメンバーアカウントを取得する命令と、
上記現行の装置識別子および上記メンバーアカウントに関する同期要求を、上記サーバに送信する同期要求送信モジュールと、
上記サーバによって返信される同期結果を受信する同期結果受信モジュールと、を含んでおり、
上記同期結果は、同期されるべき装置識別子に関するメンバー利得および対応する上記メンバーアカウントのメンバー期間を、クエリを行うことを通じて上記サーバによって取得された、上記現行の装置識別子に関するメンバー利得および対応する上記メンバーアカウントのメンバー期間と、同期させた結果であり、
同期されるべき上記装置識別子は、上記現行の装置識別子とは異なる。
【００２１】
さらに、
上記現行の装置識別子および上記メンバーアカウントに関する上記同期要求を、上記サーバに送信することは、
上記現行の装置識別子および上記メンバーアカウントを含んでいるコレクションクエリ要求を、上記サーバに送信することと、
上記サーバによって返信された少なくとも１つのコレクションクエリ結果を取得することと、
上記コレクションクエリ結果を表示し、かつ、上記コレクションクエリ結果についての選択操作を受けて、選択された装置識別子を含んでいる同期要求を上記サーバに送信することと、を特に含んでおり、
上記コレクションクエリ結果は、クエリを行うこと通じて上記サーバによって取得された、コレクション可能な装置識別子に関するメンバー利得および対応する上記メンバーアカウントのメンバー期間であり、
上記コレクション可能な装置識別子は、上記現行の装置識別子とは異なり、
それぞれのコレクションクエリ結果は、単一のコレクション可能な装置識別子に対応し、
選択された上記装置識別子は、上記選択操作によって選択された上記コレクションクエリ結果に対応する上記コレクション可能な装置識別子であり、
上記サーバは、受信された上記同期要求に含まれている選択された上記装置識別子を、同期されるべき上記装置識別子として用いる。
【００２２】
本開示の別の実施形態は、複数の装置間においてメンバー利得を同期させるためのサーバを提供する。当該サーバは、
現行の装置の識別子である現行の装置識別子と上記現行の装置に記録されているメンバーアカウントとに関する同期要求を、装置から受信する同期要求受信モジュールと、
同期されるべき装置識別子に関するメンバー利得および対応する上記メンバーアカウントのメンバー期間を、クエリを行うことを通じて取得された、上記現行の装置識別子に関するメンバー利得および対応する上記メンバーアカウントのメンバー期間と同期させた結果を、上記同期結果として用いる同期結果取得モジュールと、
上記同期結果を上記装置に返信する同期結果送信モジュールと、を備えており、
同期されるべき上記装置識別子は、上記現行の装置識別子とは異なる。
【００２３】
さらに、
上記同期要求受信モジュールは、
上記現行の装置の上記識別子である上記現行の装置識別子と上記現行の装置に記録されている上記メンバーアカウントとを含んでいるコレクションクエリ要求を受信するコレクションクエリ要求受信サブモジュールと、
クエリを行うことを通じて、少なくとも１つのコレクションクエリ結果を取得するコレクションクエリ結果サブモジュールと、
少なくとも１つのコレクションクエリ結果を、上記装置に返信するコレクションクエリ結果送信サブモジュールと、
上記コレクションクエリ結果についての選択操作を受けて上記装置によって送信される、選択された装置識別子を含んでいる同期要求を受信し、受信された上記同期要求に含まれている選択された上記装置識別子を、同期されるべき上記装置識別子として用いる選択結果受信サブモジュールと、を特に備えており、
それぞれのコレクションクエリ結果は、コレクション可能な装置識別子に関するメンバー利得および対応する上記メンバーアカウントのメンバー期間であり、
上記コレクション可能な装置識別子は、上記現行の装置識別子とは異なり、
それぞれのコレクションクエリ結果は、単一のコレクション可能な装置識別子に対応し、
上記コレクションクエリ結果は、上記装置において表示され、
選択された上記装置識別子は、上記選択操作によって選択されたコレクションクエリ結果に対応する上記コレクション可能な装置識別子である。
【００２４】
さらに、
同期されるべき上記装置識別子に関する上記メンバー利得および上記対応する上記メンバーアカウントのメンバー期間を、クエリを行うことを通して取得された、上記現行の装置識別子に関する上記メンバー利得および上記対応する上記メンバーアカウントのメンバー期間と同期させることは、
同期されるべき上記装置識別子に関する上記メンバー利得および上記対応する上記メンバーアカウントのメンバー期間を、同期されるべきメンバー利得および対応する同期されるべきメンバー期間として用い、かつ、
上記現行の装置識別子に関する上記メンバー利得および上記対応する上記メンバーアカウントのメンバー期間を、現行のメンバー利得および対応する現行のメンバー期間として用いることと、
上記現行のメンバー利得と同一である上記同期されるべきメンバー利得に対応する同期されるべき上記メンバー期間を、同期されたメンバー期間として、上記対応する現行のメンバー期間に追加し、かつ、
上記対応する現行のメンバー期間を、同期された上記メンバー期間として更新することと、を特に含んでいる。
【００２５】
本開示の別の実施形態は、複数の装置間においてメンバー利得を同期させるためのサーバを提供する。当該サーバは、
１つ以上のプロセッサと、
メモリと、
１つ以上のプログラムと、を含んでおり、
１つ以上の上記プログラムは、上記メモリに記憶されており、かつ、１つ以上の上記プロセッサによって実行され、
１つ以上の上記プログラムは、
現行の装置の識別子である現行の装置識別子と上記現行の装置に記録されているメンバーアカウントとに関する同期要求を、装置から受信し、
同期されるべき装置識別子に関するメンバー利得および対応する上記メンバーアカウントのメンバー期間を、クエリを行うことを通じて取得される上記現行の装置識別子に関するメンバー利得および対応する上記メンバーアカウントのメンバー期間と同期させた結果を、上記同期結果として用い、
上記同期結果を上記装置に返信する命令を含んでおり、
同期されるべき上記装置識別子は、上記現行の装置識別子とは異なる。
【００２６】
さらに、
上記現行の装置の上記識別子である上記現行の装置識別子と上記現行の装置に記録されている上記メンバーアカウントとに関する上記同期要求を、上記装置から受信することは、
上記現行の装置の識別子である上記現行の装置識別子と上記現行の装置に記録されている上記メンバーアカウントとを含んでいるコレクションクエリ要求を受信することと、
クエリを行うことを通じて、少なくとも１つのコレクションクエリ結果を取得することと、
少なくとも１つのコレクションクエリ結果を、上記装置に返信することと、
上記コレクションクエリ結果についての選択操作を受けて上記装置によって送信された、選択された装置識別子を含んでいる同期要求を受信し、受信された上記同期要求に含まれている選択された上記装置識別子を、同期されるべき上記装置識別子として用いることと、を特に含んでおり、
それぞれのコレクションクエリ結果は、コレクション可能な装置識別子に関するメンバー利得および対応する上記メンバーアカウントのメンバー期間であり、
上記コレクション可能な装置識別子は、上記現行の装置識別子とは異なり、
それぞれのコレクションクエリ結果は、単一のコレクション可能な装置識別子に対応し、
上記コレクションクエリ結果は、上記装置において表示され、
選択された上記装置識別子は、上記選択操作によって選択された上記コレクションクエリ結果に対応する上記コレクション可能な装置識別子である。
【００２７】
そして、さらに、
同期されるべき上記装置識別子に関する上記メンバー利得および上記対応する上記メンバーアカウントのメンバー期間を、クエリを行うことを通じて取得された、上記現行の装置識別子に関する上記メンバー利得および上記対応する上記メンバーアカウントのメンバー期間と同期させることは、
同期されるべき上記装置識別子に関する上記メンバー利得および上記対応する上記メンバーアカウントのメンバー期間を、同期されるべきメンバー利得および対応する同期されるべきメンバー期間として用い、かつ 、
上記現行の装置識別子に関する上記メンバー利得および上記対応する上記メンバーアカウントのメンバー期間を、現行のメンバー利得および対応する現行のメンバー期間として用いることと、
上記現行のメンバー利得と同一である上記同期されるべきメンバー利得に対応する同期されるべき上記メンバー期間を、同期されたメンバー期間として、上記対応する現行のメンバー期間に追加し、かつ、
上記対応する現行のメンバー期間を、同期された上記メンバー期間として更新することと、を特に含んでいる。
【００２８】
本開示の一実施形態は、複数の装置間においてメンバー利得を同期させるためのシステムを提供する。当該システムは、上述の装置とサーバとを備えている。
【００２９】
本開示の各実施形態によれば、異なる装置に関する上記メンバー利得および上記対応する同じアカウントの期間は、上記サーバを通じて検索され、その後、同期される。その結果、複数の装置間において、同じアカウントの上記メンバー利得を共有する機能が実 現される。
【００３０】
＜図面の簡単な説明＞
添付の図面の図において、１つ以上の実施形態が、例として（制限としてではなく）説明されている。同じ参照符号を有している要素は、図面の全体を通して、同種の要素を表している。上記図面は、特段の記載がない限り、縮尺どおりに示されているわけではない。
【００３１】
［図１］本開示の一実施形態によって提供される、装置において適用されている、複数の装置間においてメンバー利得を同期させるための方法の工程図である。
【００３２】
［図２］本開示の一実施形態によって提供される、装置において複数のコレクションクエリ結果を表示した結果を示している模式図である。
【００３３】
［図３］本開示の一実施形態によって提供される、サーバにおいて適用されている、複数の装置間においてメンバー利得を同期させるための方法の工程図である。
【００３４】
［図４］本開示の一実施形態によって提供される、複数の装置間においてメンバー利得を同期させるための装置の構造モデル図である。
【００３５】
［図５］本開示の一実施形態によって提供される装置の構造ブロック図である。
【００３６】
［図６］本開示の一実施形態によって提供される、複数の装置間においてメンバー利得を同期させるためのサーバの構造モデル図である。
【００３７】
［図７］本開示の一実施形態によって提供されるサーバの構造ブロック図である。
【００３８】
［図８］本開示の一実施形態によって提供される、複数の装置間においてメンバー利得を同期させるためのシステムの構造モデル図である。
【００３９】
［図９］本開示の他の実施形態によって提供される、複数の装置間においてメンバー利得を同期させるための方法の工程図である。
【００４０】
＜詳細な説明＞
以下、図面および具体的な実施形態を参照しながら、本開示が更に詳細に説明される。
【００４１】
図１は、本開示の実施形態によって提供される、複数の装置間においてメンバー利得を同期させるための方法の工程図を示している。当該方法は、
工程Ｓ１０１：現行の装置識別子として装置の識別子を取得し、上記装置にログオンしているメンバーアカウントを取得する工程と、
工程Ｓ１０２：上記現行の装置識別子および上記メンバーアカウントに関する同期要求を、サーバに送信する工程と、
工程Ｓ１０３：上記サーバによって返信された同期結果を受信する工程と、を含んでおり、
上記同期結果は、クエリを行うことを通じて上記サーバによって取得されるものであり、同期されるべき装置識別子に関するメンバー利得および対応する上記メンバーアカウントのメンバー期間を、上記現行の装置識別子に関するメンバー利得および対応する上記メンバーアカウントのメンバー期間と、同期させた結果であり、同期されるべき上記装置識別子は、上記現行の装置識別子とは異なる。
【００４２】
工程Ｓ１０１において取得される上記装置識別子は、上記装置のメディアアクセス制御（Media Access Control、ＭＡＣ）アドレス（物理アドレスとも呼ばれる）、名前、上記装置のＩＰアドレス、またはその類のものの、いずれであってもよい。上記装置は、上記現行の装置識別子を通じて示される。工程Ｓ１０２において上記同期要求が送信され、工程１０３において上記同期結果が取得される。ここで、上記同期結果とは、他の装置に関するメンバー利得および対応する同じメンバーアカウントのメンバー期間を、上記現行の装置識別子によって示されている上記装置に関するメンバー利得および対応する上記メンバーアカウントのメンバー期間と、同期させた結果（当該結果は、クエリを行うことを通じて上記サーバによって取得される）である。
【００４３】
一実施形態によると、上記現行の装置識別子はスマートフォンを表しており、上記同期されるべき装置識別子はスマートＴＶを表している。このとき、本実施形態の大筋は、以下の通りである。
【００４４】
まず、ユーザはスマートＴＶを購入し、その後、メンバーアカウントを用いて、上記スマートＴＶを起動しログインする。このようにして、上記スマートＴＶに関するメンバー利得、および対応する上記メンバーアカウントのメンバー期間を取得する。記載を容易にするために、上記スマートＴＶに関する上記メンバー利得および上記対応する上記メンバーアカウントのメンバー期間を、ハイビジョンメンバー利得およびハイビジョンメンバー期間と定義する。
【００４５】
次に、上記ユーザはスマートフォンを購入し、その後、同じメンバーアカウントを用いて、上記スマートフォンを起動しログインする。このようにして、上記スマートフォンに関するメンバー利得、および対応する上記メンバーアカウントのメンバー期間を取得する。記載を容易にするために、上記スマートフォンに関する上記メンバー利得および上記対応する上記メンバーアカウントのメンバー期間を、携帯電話メンバー利得および携帯電話メンバー期間と定義する。
【００４６】
同期操作のために上記スマートフォンが用いられるとき、上記メンバーアカウントと同様に、上記ハイビジョンメンバー利得および上記ハイビジョンメンバー期間も、クエリを行うことを通じてサーバによって取得されてよい。結果として、上記スマートフォンの上記携帯電話メンバー利得および上記携帯電話メンバー期間は、上記ハイビジョンメンバー利得および上記ハイビジョンと同期される。
【００４７】
同様に、同期操作のために上記スマートフォンが用いられるとき、上記スマートＴＶの上記ハイビジョンメンバー利得および上記ハイビジョンメンバー期間はまた、上記携帯電話メンバー利得および上記携帯電話メンバー期間と同期されてよい。
【００４８】
本開示の一実施形態によると、異なる装置に関する上記メンバー利得および上記対応する同じメンバーアカウントのメンバー期間は、上記サーバを通じて検索され、その後、同期される。その結果、複数の装置間において、同じアカウントの上記メンバー利得を共有する機能が実現される。
【００４９】
同じメンバーアカウントが、複数の装置識別子に関するメンバー利得および対応するメンバー期間を有しているならば、任意の１つの装置識別子が、上記サーバにおいて同期されるべき上記装置識別子として選択されてよい。
【００５０】
一実施形態において、上記現行の装置識別子および上記メンバーアカウントに関する上記同期要求を、上記サーバに送信する工程は、
上記現行の装置識別子および上記メンバーアカウントを含んでいるコレクションクエリ要求を、上記サーバに送信する工程と、
上記サーバによって返信された、少なくとも１つのコレクションクエリ結果を取得する工程（上記コレクションクエリ結果は、クエリを行うことを通じて上記サーバによって取得された、コレクション可能な装置識別子に関するメンバー利得および対応する上記メンバーアカウントのメンバー期間である。上記コレクション可能な装置識別子は、上記現行の装置識別子とは異なる。それぞれのコレクションクエリ結果は、単一のコレクション可能な装置識別子と対応している。）と、
上記コレクションクエリ結果を表示し、かつ、上記コレクションクエリ結果についての選択操作を受けて、選択された装置識別子を含んでいる同期要求を上記サーバに送信する工程（選択された上記装置識別子は、上記選択操作によって選択された上記コレクションクエリ結果に対応する、上記コレクション可能な装置識別子である。）と、を特に含んでおり、
上記サーバは、受信された同期要求に含まれている選択された上記装置識別子を、同期されるべき上記装置識別子として用いる。
【００５１】
本実施形態において、複数のコレクションクエリ要求が取得された後、上記コレクションクエリ結果２１は、上記装置において表示される（その表示結果は、図２に示されている）。上記ユーザは、上記装置２０において、１つのコレクションクエリ結果２１をクリックすることで、上記コレクションクエリ結果を選択する。そして、上記同期要求を上記サーバに送信することを通じて、上記コレクションクエリ結果を、上記現行の装置識別子の上記メンバー利得および上記メンバー期間と同期させる。
【００５２】
本実施形態によると、上記ユーザは、上記同期されるべき装置を自分自身で選択するので、上記ユーザ独自の選択要求をより柔軟に満たすことが可能となる。
【００５３】
図３は、本開示の一実施形態によって提供される、複数の装置間においてメンバー利得を同期させるための方法の工程図を示している。当該方法は、
工程Ｓ３０１：上記現行の装置の識別子である上記現行の装置識別子と上記現行の装置において記録されている上記メンバーアカウントとに関する同期要求を、装置から受信する工程と、
工程Ｓ３０２：同期されるべき装置識別子に関するメンバー利得および対応する上記メンバーアカウントのメンバー期間を、上記現行の装置識別子に関するメンバー利得および対応する上記メンバーアカウントのメンバー期間と同期させた結果を、上記同期結果として用いる工程（同期されるべき上記装置識別子は、上記現行の装置識別子とは異なる。）と、
工程Ｓ３０３：上記同期結果を上記装置に返信する工程と、を含んでいる。
【００５４】
上記の処理（employment）は、受信した同期要求に従って同期処理を行う上記サーバの工程を表している。
【００５５】
一実施形態において、上記現行の装置の上記識別子である上記現行の装置識別子と上記現行の装置に記録されているメンバーアカウントとに関する上記同期要求を、上記現行の装置から受信する工程は、
上記現行の装置の識別子である上記現行の装置識別子と上記現行の装置に記録されている上記メンバーアカウントを含んでいるコレクションクエリ要求を受信する工程と、
クエリを行うことを通じて、少なくとも１つのコレクションクエリ結果を取得する工程（それぞれのコレクションクエリ結果は、コレクション可能な装置識別子に関するメンバー利得および対応する上記メンバーアカウントのメンバー期間である。上記コレクション可能な装置識別子は、上記現行の装置識別子とは異なる。それぞれのコレクションクエリ結果は、単一のコレクション可能な装置識別子に対応している。）と、
少なくとも１つのコレクションクエリ結果を、上記装置に返信する工程（上記コレクションクエリ結果は、上記装置において表示される。）と、
上記コレクションクエリ結果についての選択操作を受けて上記装置により送信された、選択された装置識別子を含んでいる同期要求を受信し、受信された上記同期要求に含まれている選択された上記装置識別子を、同期されるべき上記装置識別子として用いる工程（選択された上記装置識別子は、上記選択操作によって選択された上記コレクションクエリ結果に対応する上記コレクション可能な装置識別子である。）と、を特に含んでいる。
【００５６】
一実施形態において、同期されるべき上記装置識別子に関する上記メンバー利得および上記対応する上記メンバーアカウントのメンバー期間を、クエリを行うことを通じて取得された上記現行の装置識別子に関する上記メンバー利得および上記対応する上記メンバーアカウントのメンバー期間と同期させる工程は、
同期されるべき上記装置識別子に関する上記メンバー利得および上記対応する上記メンバーアカウントのメンバー期間を、同期されるべきメンバー利得および対応する同期されるべきメンバー期間として用い、かつ、
上記現行の装置識別子に関する上記メンバー利得および上記対応する上記メンバーアカウントのメンバー期間を、現行のメンバー利得および対応する現行のメンバー期間として用いる工程と、
上記現行のメンバー利得と同一である上記同期されるべきメンバー利得の上記対応する同期されるべき上記メンバー期間を、同期されたメンバー期間として、上記対応する現行のメンバー期間に追加し、かつ、
上記対応する現行のメンバー期間を、同期された上記メンバー期間として更新する工程と、を特に含んでいる。
【００５７】
上記同期されるべき装置識別子に関する上記メンバー利得および上記対応する上記メンバーアカウントのメンバー期間を、クエリを行うことを通じて取得される上記現行の装置識別子に関する上記メンバー利得および上記対応する上記メンバーアカウントのメンバー期間と、同期させることは、より短いメンバー期間を、より長いメンバー期間によって包含することであってよい。しかし、この方法のユーザエクスペリエンスは、より悪い。本実施形態における特定の同期操作は、同じメンバー利得に対応するメンバー期間を、互いに部分的に共有させることである。
【００５８】
一実施形態によると、上記現行の装置識別子はスマートフォンを表しており、上記同期されるべき装置識別子はスマートＴＶを表している。このとき、本実施形態の大筋は、以下の通りである。
【００５９】
まず、ユーザはスマートＴＶを購入し、その後、メンバーアカウントを用いて、上記スマートＴＶを起動しログインする。このようにして、上記スマートＴＶに関するビデオメンバー利得および対応する上記メンバーアカウントのメンバー期間を取得する。記載を容易にするために、上記スマートＴＶに関する上記ビデオメンバー利得および上記対応する上記メンバーアカウントのメンバー期間を、ハイビジョンビデオメンバー利得およびハイビジョンビデオメンバー期間と定義する（ここで、上記ハイビジョンビデオメンバー期間を５００時間とする）。
【００６０】
次に、上記ユーザはスマートフォンを購入し、その後、同じメンバーアカウントを用いて、上記スマートフォンを起動しログインする。このようにして、上記スマートフォンに関するビデオメンバー利得および対応する上記メンバーアカウントのメンバー期間を取得する。記載を容易にするために、上記スマートフォンに関する上記ビデオメンバー利得および上記対応する上記メンバーアカウントのメンバー期間を、携帯電話ビデオメンバー利得および携帯電話ビデオメンバー期間と定義する（ここで、上記携帯電話ビデオメンバー期間は５００時間である）。
【００６１】
同期操作のために上記スマートフォンが用いられるとき、上記メンバーアカウントと同様に、上記ハイビジョンビデオメンバー利得および上記ハイビジョンビデオメンバー期間も、クエリを行うことを通じてサーバによって取得されてよい。上記ハイビジョンビデオメンバー利得は、上記携帯電話ビデオメンバー利得と一致しているので、上記ハイビジョンビデオメンバー期間は、上記携帯電話ビデオメンバー期間と部分的に共有されてよい。結果として、上記携帯電話ビデオメンバー期間は、５００時間から１０００時間へと増加される。
【００６２】
同様に、同期操作のために上記スマートフォンが用いられるとき、上記スマートＴＶの上記ハイビジョンビデオメンバー期間はまた、１０００時間へと増加されてよい。
【００６３】
図９は、本開示の他の実施形態によって提供される、複数の装置間においてメンバー利得を同期させるための方法の工程図を示している。当該方法は、以下の工程を含んでいる。
【００６４】
工程Ｓ９０１において、携帯電話のコレクションActivityは、コレクションインターフェースを表示する。ユーザがコレクションを選択した後、上記携帯電話に書き込まれているプリセットコードキーは、他のハードウェアベンダーにより提供されているＡＩＤＬを通じて取り出され、上記携帯電話のＩＭＥＩ番号は、TelephoneManagerのgetDeviceId()メソッドを通じて取得される。ユーザトークンは、AccountManageのpeekAuthTokenメソッドを通じて取得される。上記ユーザトークンは、上記ユーザの全ての情報を含んでおり、特にメンバーアカウントを含んでいる。
【００６５】
工程Ｓ９０２において、取得された情報は、クラウドプラットフォームにより提供されているappidおよびplatと組み合わされ、対応するフィールドとして結合される。その後、ＭＤ５暗号化が行われる。暗号化の方法は以下の通りである：sign=md5("appid="+"value"+"&devid="+"value"+"&key="+"value"+"&plat="+"value"+"&"+署名キー)。
【００６６】
工程Ｓ９０３において、コレクションクエリ要求は、HttpClientのGETを通じて、上記クラウドプラットフォームに送信される。次に、RequestCallbackのインターフェースが用いられ、上記クラウドプラットフォームから取得された、共有されているメンバー期間情報を呼び戻す。そして、返信されたJsonフィールドは、JSONObjectを用いて構文解析される。仮に、上記取得された情報の配列の長さが１ならば、ただ１つだけメンバー期間が与えられていることを表している。次に、上記データのmac、title、fromおよびidフィールドが構文解析され、構文解析されたデータが表示される。次に、それぞれの単一の贈与メンバー期間をコレクトするために、ユーザはコレクションボタンをクリックしてよい。複数の情報配列が取得されたならば、それぞれのデータは、JSONArrayを用いて保存され、上記データの全項目は、ListViewを用いて表示される。それぞれのListView項目は、上記mac、title、fromおよびidフィールドを有する。上記データはGetFullScreenVipProtocalActivityに伝送され、その後、対応する情報は、上記Activityにおいて表示される。次に、それぞれの単一の贈与メンバー期間をコレクトするために、上記コレクションボタンはクリックされてよい。
【００６７】
工程Ｓ９０４において、上記ユーザは、上記コレクションボタンをクリックする。当該クリックは、HttpClientのPOSTを通じて、上記クラウドプラットフォームに同期要求を送信する。その後、上記RequestCallbackのインターフェースが用いられて、上記クラウドプラットフォームから取得された、共有されているメンバー期間情報が呼び戻され、返信されたJsonフィールドがJSONObjectを用いて構文解析され、そしてdoneフィールドが構文解析される。上記フィールドの上記長さが１ならば、上記コレクションは成功したことを表している。そして、上記フィールドの上記長さが０ならば、上記コレクションは失敗したことを表している。その後、返信された上記titleおよびinfoフィールドが構文解析され、コレクション結果が表示される。
【００６８】
工程Ｓ９０５において、上記コレクションが終了した後、終了ボタンをクリックすることにより、上記結果はsetResultを通じて前のページに転送される。次に、Activityのfinish()メソッドを呼び出すことにより、上記ページは直接的に終了される。呼び出された前のページがonActivityResultを通じて返信された結果を受信した後、上記コレクションが成功したならば、当該ページは、アカウント情報のページに戻るために直接的に終了して、上記情報の表示およびメンバー期間をリフレッシュする。上記コレクションが失敗したならば、現在のページに留まる。
【００６９】
本開示の一実施形態により、他のappに対するコレクションインターフェースストラテジが、以下のように提供される。
【００７０】
好ましくは、他のappは、Intentを介する上述のコレクションActivityに必要とされるメンバーアカウントおよびapp nameを伝送し得る。ここで、上記Activityは、異なるfromパラメータ（すなわち、app name）に従って判断し、成功したコレクションの後、異なるインターフェースおよびプロンプトを表示する。これらを呼び出す方法は、以下の通りである：
intent.putExtra("report_id","");
intent.putExtra("from", /*app name*/);
intent.setClass(this, GetFullScreenVipViaTVActivity.class);
startActivityForResult(intent);。
【００７１】
上記コレクション結果は、２つの異なるやり方で提供される：
１．上記結果を、setResultを通じて呼び出し元に直接的に返信する、
２．結果ブロードキャストを送信する。ここで、上記ブロードキャストを受信した後で、上記呼び出し元は、上記ブロードキャストによって返信されたフィールドに従って判断する。
【００７２】
図４は、本開示の一実施形態によって提供される、複数の装置間においてメンバー利得を同期させるための装置の構造モデル図である。当該構造モデルは、
現行の装置識別子として装置の識別子を取得し、かつ、上記装置にログオンされているメンバーアカウントを取得する現行装置取得モジュール４１０と、
上記現行の装置識別子および上記メンバーアカウントに関する同期要求を、サーバに送信する同期要求送信モジュール４２０と、
上記サーバにより返信される同期結果を受信する同期結果受信モジュール４３０と、を備えており、
上記同期結果は、同期されるべき装置識別子に関するメンバー利得および対応する上記メンバーアカウントのメンバー期間を、クエリを行うことを通じて上記サーバによって取得された、上記現行の装置識別子に関するメンバー利得および対応する上記メンバーアカウントのメンバー期間と、同期させた結果であり、同期されるべき上記装置識別子は、上記現行の装置識別子とは異なる。
【００７３】
図５は、本開示の一実施形態によって提供される装置の構造ブロック図である。好ましくは、上記装置は、携帯電話、スマートフォンまたはその類のものであり、主としてプロセッサ５１、メモリ５２、通信コンポーネント５３および表示画面５４などを備えている。
【００７４】
ここで、上記メモリ５２は、特に上記プロセッサ５１によって実行される、上述されている方法の特定のコードを記憶している。上記通信コンポーネント５３を通じて、上記同期要求は上記サーバへ送信され、上記同期結果は受信される。上記同期結果は、上記表示画面５４上に表示される。
【００７５】
更に、上述の上記メモリ５２における論理命令は、ソフトウェア機能ユニットを通じて実装され、かつ独立した製品として販売または使用されるならば、コンピュータ読み取り可能な記憶媒体に記憶されていてよい。このような理解に基づくと、本開示の技術的解決法は本質的に、または、先行技術に寄与している部分もしくは本技術的解決法の一部は、ソフトウェア製品の形態で実装されていてよい。コンピュータソフトウェア製品は、記憶媒体に記憶されており、本開示のそれぞれの実施形態に係る方法の工程の全部または一部を携帯端末（当該携帯端末は、パーソナルコンピュータ、サーバ、またはその他のネットワーク装置類であってよい）に実行するように命令するためのいくつかの命令を含んでいる。また、上述されている記憶媒体は、ＵＳＢディスク、携帯ハードディスクドライブ、リードオンリーメモリ（ＲＯＭ、Read-Only Memory）、ランダムアクセスメモリ（ＲＡＭ、Random Access Memory）、磁気ディスクまたは光学ディスクなどの、プログラムコードを記憶することのできる任意の媒体を含む。
【００７６】
上述されている本装置の実施形態は、単なる典型例である。当該実施形態において分離した部品として描かれているユニットは、物理的に分離されていても、物理的に分離されていなくても、いずれであってもよい。また、ユニットとして表示されている部品は、物理的なユニットであっても、物理的なユニットでなくても、いずれであってもよい。すなわち、上記部品は、同じプレート上に位置していても、複数のネットワークユニットに割り当てられていても、いずれであってもよい。上記モジュールの一部または全部は、本開示の実施形態における解決法の目的を達成するための現実的な必要条件に従って選択されていてよい。当業者は、創造的な研究を経ることなく、理解および実装し得る。
【００７７】
以上の実装方法の説明を通して、それぞれの実装方法が、ソフトウェアおよび必須で共通のハードウェアプラットフォームを組み合わせる方法において実現され得ること、そしてもちろんハードウェアによってもまた実現され得ることを、当業者は明確に理解し得る。このような理解に基づくと、上述されている技術的解決法は本質的に、または先行技術に寄与している部分は、ソフトウェア製品の形態で実装されていてよい。コンピュータソフトウェア製品は、ＲＯＭ／ＲＡＭ、ディスケット、光学ディスクまたはその類のものなどの記憶媒体に記憶されていてよい。また、当該コンピュータソフトウェア製品は、コンピュータ装置（当該コンピュータ装置は、パーソナルコンピュータ、サーバ、またはその他のネットワーク装置類であってよい）に、それぞれの実施形態または上記実施形態の一部に係る方法を実行するように命令するためのいくつかの命令を含んでいる。
【００７８】
一実施形態において、上記同期要求送信モジュール４２０は、
上記現行の装置識別子および上記メンバーアカウントを含んでいるコレクションクエリ要求を、上記サーバに送信するコレクションクエリ要求送信サブモジュール４２１と、
上記サーバによって返信される少なくとも１つのコレクションクエリ結果を取得するコレクションクエリ結果受信サブモジュール４２２（上記コレクションクエリ結果は、クエリを行うことを通じて上記サーバによって取得された、コレクション可能な装置識別子に関するメンバー利得および対応する上記メンバーアカウントのメンバー期間である。上記コレクション可能な装置識別子は、上記現行の装置識別子とは異なる。それぞれのコレクションクエリ結果は、単一のコレクション可能な装置識別子に対応する。）と、
上記コレクションクエリ結果を表示し、かつ、上記コレクションクエリ結果についての選択操作を受けて、上記サーバに受信される、選択された装置識別子を含んでいる同期要求を送信する表示サブモジュール４２３（選択された上記装置識別子は、上記選択操作によって選択された上記コレクションクエリ結果に対応する上記コレクション可能な装置識別子である。）と、を特に備えており、
上記サーバは、受信された上記同期要求に含まれている選択された上記装置識別子を、同期されるべき上記装置識別子として用いる。
【００７９】
本開示の上記実施形態は、複数の装置間においてメンバー利得を同期させるための装置を提供する。当該装置は、１つ以上のプロセッサと、メモリと、１つ以上のプログラムと、を含んでおり、
１つ以上の上記プログラムは、上記メモリに記憶されており、かつ、１つ以上の上記プロセッサによって実行され、
１つ以上の上記プログラムは、
現行の装置識別子として装置の識別子を取得し、かつ、上記装置にログオンされているメンバーアアカウントを取得する命令と、
上記現行の装置識別子および上記メンバーアカウントに関する同期要求を、上記サーバに送信する同期要求送信モジュールと、
上記サーバによって返信される同期結果を受信する同期結果受信モジュールと、を含んでおり、
上記同期結果は、同期されるべき装置識別子に関するメンバー利得および対応する上記メンバーアカウントのメンバー期間を、クエリを行うことを通じて上記サーバによって取得された、上記現行の装置識別子に関するメンバー利得および対応する上記メンバーアカウントのメンバー期間と、同期させた結果であり、同期されるべき上記装置識別子は、上記現行の装置識別子とは異なる。
【００８０】
一実施形態において、上記現行の装置識別子および上記メンバーアカウントに関する上記同期要求を、上記サーバに送信することは、
上記現行の装置識別子および上記メンバーアカウントを含んでいるコレクションクエリ要求を、上記サーバに送信することと、
上記サーバによって返信された少なくとも１つのコレクションクエリ結果を取得すること（上記コレクションクエリ結果は、クエリを行うこと通じて上記サーバによって取得された、コレクション可能な装置識別子に関するメンバー利得および対応する上記メンバーアカウントのメンバー期間である。上記コレクション可能な装置識別子は、上記現行の装置識別子とは異なる。それぞれのコレクションクエリ結果は、単一のコレクション可能な装置識別子に対応する。）と、
上記コレクションクエリ結果を表示し、かつ、上記コレクションクエリ結果についての選択操作を受けて、選択された受け入れられたものを含んでいる同期要求を上記サーバに送信すること（選択された上記装置識別子は、上記選択操作によって選択された上記コレクションクエリ結果に対応する上記コレクション可能な装置識別子である。）と、を特に含んでおり、
上記サーバは、受信された上記同期要求に含まれている選択された上記装置識別子を、同期されるべき上記装置識別子として用いる。
【００８１】
図６は、本開示の一実施形態によって提供される、複数の装置間においてメンバー利得を同期させるための装置の構造モデル図である。当該構造モデルは、
上記現行の装置の識別子である現行の装置識別子と上記現行の装置において記録されているメンバーアカウントとに関する同期要求を受信する同期要求受信モジュール６１０と、
同期されるべき装置識別子に関するメンバー利得および対応する上記メンバーアカウントのメンバー期間を、クエリを行うことを通じて取得された、上記現行の装置識別子に関するメンバー利得および対応する上記メンバーアカウントのメンバー期間と同期させた結果を、上記同期結果として用いる同期結果取得モジュール６２０（同期されるべき上記装置識別子は、上記現行の装置識別子とは異なる。）と、
上記同期結果を上記装置に返信する同期結果送信モジュール６３０と、を備えている。
【００８２】
図７は、本開示の一実施形態によって提供されるサーバの構造ブロック図である。上記サーバは、コンピュータであっても、複数のコンピュータから構成されるクラスタであっても、いずれでもよく、主としてプロセッサ７１、メモリ７２、および通信コンポーネント７３などを備えている。
【００８３】
ここで、上記メモリ７２は、特に上記プロセッサ７１によって実行される、上述されている方法の特定のコードを記憶している。上記装置によって送信された上記同期要求は、上記通信コンポーネント７３を通じて受信される。特定の同期結果は、クエリが行われ、同時に上記プロセッサ７１によって上記メモリ７２から取得される。その後、上記同期結果は、通信コンポーネント７３を通じて上記装置に送信される。
【００８４】
更に、上述の上記メモリ７２における論理命令は、ソフトウェア機能ユニットを通じて実装され、かつ独立した製品として販売または使用されるならば、コンピュータ読み取り可能な記憶媒体に記憶されていてよい。このような理解に基づくと、本開示の技術的解決法は本質的に、または、先行技術に寄与している部分もしくは本技術的解決法の一部は、ソフトウェア製品の形態で実装されていてよい。コンピュータソフトウェア製品は、記憶媒体に記憶されており、本開示のそれぞれの実施形態に係る方法の工程の全部または一部を携帯端末（当該携帯端末は、パーソナルコンピュータ、サーバ、またはその他のネットワーク装置類であってよい）に実行するように命令するためのいくつかの命令を含んでいる。また、上述されている記憶媒体は、ＵＳＢディスク、携帯ハードディスクドライブ、リードオンリーメモリ（ＲＯＭ、Read-Only Memory）、ランダムアクセスメモリ（ＲＡＭ、Random Access Memory）、磁気ディスクまたは光学ディスクなどの、プログラムコードを記憶することのできる任意の媒体を含む。
【００８５】
上述されている本装置の実施形態は、単なる典型例である。当該実施形態において分離した部品として描かれているユニットは、物理的に分離されていても、物理的に分離されていなくても、いずれであってもよい。また、ユニットとして表示されている部品は、物理的なユニットであっても、物理的なユニットでなくても、いずれであってもよい。すなわち、上記部品は、同じプレート上に位置していても、複数のネットワークユニットに割り当てられていても、いずれであってもよい。上記モジュールの一部または全部は、本開示の実施形態における解決法の目的を達成するための現実的な必要条件に従って選択されていてよい。当業者は、創造的な研究を経ることなく、理解および実装し得る。
【００８６】
以上の実装方法の説明を通して、それぞれの実装方法が、ソフトウェアおよび必須で共通のハードウェアプラットフォームを組み合わせる方法において実現され得ること、そしてもちろんハードウェアによってもまた実現され得ることを、当業者は明確に理解し得る。このような理解に基づくと、上述されている技術的解決法は本質的に、または先行技術に寄与している部分は、ソフトウェア製品の形態で実装されていてよい。コンピュータソフトウェア製品は、ＲＯＭ／ＲＡＭ、ディスケット、光学ディスクまたはその類のものなどの記憶媒体に記憶されていてよい。また、当該コンピュータソフトウェア製品は、コンピュータ装置（当該コンピュータ装置は、パーソナルコンピュータ、サーバ、またはその他のネットワーク装置類であってよい）に、それぞれの実施形態または上記実施形態の一部に係る方法を実行するように命令するためのいくつかの命令を含んでいる。
【００８７】
一実施形態において、上記同期要求受信モジュール６１０は、
上記現行の装置の識別子である現行の装置識別子と上記現行の装置において記録されている上記メンバーアカウントとを含んでいるコレクションクエリ要求を受信するコレクションクエリ要求受信サブモジュール６１１と、
クエリを行うことを通じて、少なくとも１つのコレクションクエリ結果を取得するコレクションクエリ結果サブモジュール６１２（それぞれのコレクションクエリ結果は、コレクション可能な装置識別子に関するメンバー利得および対応する上記メンバーアカウントのメンバー期間である。上記コレクション可能な装置識別子は、上記現行の装置識別子とは異なる。それぞれのコレクションクエリ結果は、単一のコレクション可能な装置識別子に対応する。）と、
少なくとも１つのコレクションクエリ結果を、上記装置に返信するコレクションクエリ結果送信サブモジュール６１３（上記コレクションクエリ結果は、上記装置において表示される。）と、
上記コレクションクエリ結果についての選択操作を受けて上記装置によって送信される、選択された装置識別子を含んでいる同期要求を受信し、受信された上記同期要求に含まれている選択された上記装置識別子を、同期されるべき上記装置識別子として用いる選択結果受信サブモジュール６１４（選択された上記装置識別子は、上記選択操作によって選択されたコレクションクエリ結果に対応する上記コレクション可能な装置識別子である。）と、を特に備えている。
【００８８】
一実施形態において、同期されるべき上記装置識別子に関する上記メンバー利得および上記対応する上記メンバーアカウントのメンバー期間を、クエリを行うことを通して取得された、上記現行の装置識別子に関する上記メンバー利得および上記対応する上記メンバーアカウントのメンバー期間と同期させることは、
同期されるべき上記装置識別子に関する上記メンバー利得および上記対応する上記メンバーアカウントのメンバー期間を、同期されるべきメンバー利得および対応する同期されるべきメンバー期間として用い、かつ、
上記現行の装置識別子に関する上記メンバー利得および上記対応する上記メンバーアカウントのメンバー期間を、現行のメンバー利得および対応する現行のメンバー期間として用いることと、
上記現行のメンバー利得と同一である上記同期されるべきメンバー利得の上記対応する同期されるべきメンバー期間を、同期されたメンバー期間として、上記対応する現行のメンバー期間に追加し、かつ、
上記対応する現行のメンバー期間を、同期された上記メンバー期間として更新することと、を特に含んでいる。
【００８９】
本開示の本実施形態は、複数の装置間においてメンバー利得を同期させるためのサーバを提供する。当該サーバは、１つ以上のプロセッサと、メモリと、１つ以上のプログラムとを備え、
１つ以上の上記プログラムは、上記メモリに記憶されており、かつ、１つ以上の上記プロセッサによって実行され、
上記１つ以上のプログラムは、
上記現行の装置の識別子である現行の装置識別子と上記現行の装置において記録されているメンバーアカウントとに関する同期要求を、装置から受信し、
同期されるべき装置識別子に関するメンバー利得および対応する上記メンバーアカウントのメンバー期間を、クエリを行うことを通じて取得される上記現行の装置識別子に関するメンバー利得および対応する上記メンバーアカウントのメンバー期間と同期させた結果を、上記同期結果として用い（同期されるべき上記装置識別子は、上記現行の装置識別子とは異なる。）、
上記同期結果を上記装置に返信する命令を含んでいる。
【００９０】
一実施形態において、上記現行の装置の上記識別子である上記現行の装置識別子と上記現行の装置において記録されている上記メンバーアカウントとに関する上記同期要求を、上記装置から受信することは、
上記現行の装置の識別子である上記現行の装置識別子と上記現行の装置において記録されている上記メンバーアカウントとを含んでいるコレクションクエリ要求を、上記装置から受信することと、
クエリを行うことを通じて、少なくとも１つのコレクションクエリ結果を取得すること（それぞれのコレクションクエリ結果は、コレクション可能な装置識別子に関するメンバー利得および対応する上記メンバーアカウントのメンバー期間である。上記コレクション可能な装置識別子は、上記現行の装置識別子とは異なる。それぞれのコレクションクエリ結果は、単一のコレクション可能な装置識別子に対応する。）と、
少なくとも１つのコレクションクエリ結果を、上記装置に返信すること（上記コレクションクエリ結果は、上記装置において表示される。）と、
上記コレクションクエリ結果についての選択操作を受けて上記装置によって送信された、選択された装置識別子を含んでいる同期要求を受信し、受信された上記同期要求に含まれている選択された上記装置識別子を、同期されるべき上記装置識別子として用いること（選択された上記装置識別子は、上記選択操作によって選択された上記コレクションクエリ結果に対応する上記コレクション可能な装置識別子である。）と、を特に含んでいる。
【００９１】
一実施形態において、同期されるべき上記装置識別子に関する上記メンバー利得および上記対応する上記メンバーアカウントのメンバー期間を、クエリを行うことを通じて取得された、上記現行の装置識別子に関する上記メンバー利得および上記対応する上記メンバーアカウントのメンバー期間と同期させることは、
同期されるべき上記装置識別子に関する上記メンバー利得および上記対応する上記メンバーアカウントのメンバー期間を、同期されるべきメンバー利得および対応する同期されるべきメンバー期間として用い、かつ、
上記現行の装置識別子に関する上記メンバー利得および上記対応する上記メンバーアカウントのメンバー期間を、現行のメンバー利得および対応する現行のメンバー期間として用いることと、
上記現行のメンバー利得と同一である上記同期されるべきメンバー利得の上記対応する同期されるべきメンバー期間を、同期されたメンバー期間として、上記対応する現行のメンバー期間に追加し、かつ、
上記対応する現行のメンバー期間を、同期された上記メンバー期間として更新することと、を特に含んでいる。
【００９２】
図８は、本開示の一実施形態によって提供される、複数の装置間においてメンバー利得を同期させるためのシステムの構造モデル図であり、上述されている装置８１およびサーバ８２を備えている。
【００９３】
特に、上記装置８１は、
上記装置の識別子を現行の装置識別子として取得し、上記装置にログオンされているメンバーアカウントを取得する、上記装置の現行装置取得モジュール８１１と、
上記現行の装置識別子および上記メンバーアカウントに関する同期要求を、サーバに送信する、上記装置の同期要求送信モジュール８２２と、
上記サーバによって返信される同期結果を受信する、上記装置の同期結果受信モジュール８１３と、を備えており、
上記同期結果は、同期されるべき装置識別子に関するメンバー利得および対応する上記メンバーアカウントのメンバー期間を、クエリを行うことを通じて上記サーバによって取得される上記現行の装置識別子に関するメンバー利得および対応する上記メンバーアカウントのメンバー期間と、同期させた結果である。同期されるべき上記装置識別子は、上記現行の装置識別子とは異なる。
【００９４】
上記サーバ８２は、
上記現行の装置の識別子である現行の装置識別子、および上記現行の装置において記録されているメンバーアカウントに関する同期要求を、装置から受信する、上記サーバの同期要求受信モジュール８２１と、
同期させるべき装置識別子に関するメンバー利得および対応する上記メンバーアカウントのメンバー期間を、クエリを行うことを通じて取得される上記現行の装置識別子に関するメンバー利得および対応する上記メンバーアカウントのメンバー期間と同期させた結果を、上記同期結果として用いる、上記サーバの同期結果取得モジュール８２２（同期されるべき上記装置識別子は、上記現行の装置識別子とは異なる。）と、
上記同期結果を上記装置に返信する、上記サーバの同期結果送信モジュール８２３と、を備えている。
【００９５】
以上の実施形態は、本開示の実施形態のいくつか（当該実施形態は、より具体的かつ詳細に説明されている）を、単に表現しているに過ぎない。したがって、当該実施形態は、本開示の特許の範囲に対する制限として理解されることはできない。当業者はまた、本開示の保護の範囲内に全て収まるであろう本開示の考え(conceive)から離れることなく、多くの変更および改良を成し得ることに留意されたい。したがって、本開示の特許保護の範囲は、添付の請求項に従属するであろう。
【図面の簡単な説明】
【００９６】
【図１】本開示の一実施形態によって提供される、装置において適用されている、複数の装置間においてメンバー利得を同期させるための方法の工程図である。
【図２】本開示の一実施形態によって提供される、装置において複数のコレクションクエリ結果を表示した結果を示している模式図である。
【図３】本開示の一実施形態によって提供される、サーバにおいて適用されている、複数の装置間においてメンバー利得を同期させるための方法の工程図である。
【図４】本開示の一実施形態によって提供される、複数の装置間においてメンバー利得を同期させるための装置の構造モデル図である。
【図５】本開示の一実施形態によって提供される装置の構造ブロック図である。
【図６】本開示の一実施形態によって提供される、複数の装置間においてメンバー利得を同期させるためのサーバの構造モデル図である。
【図７】本開示の一実施形態によって提供されるサーバの構造ブロック図である。
【図８】本開示の一実施形態によって提供される、複数の装置間においてメンバー利得を同期させるためのシステムの構造モデル図である。
【図９】本開示の他の実施形態によって提供される、複数の装置間においてメンバー利得を同期させるための方法の工程図である。
【国際調査報告】
2017539103.tif 000012
2017539103.tif 000013
2017539103.tif 000014
2017539103.tif 000015